(57)【要約】  生体情報の取得の円滑化を実現することができる情報取得システム、情報取得方法等を提供する。情報取得装置は、第１の対象者が待機する第１の区域に配置され、第１の区域における第１の対象者が所持する媒体から識別情報を読み取って取得する第１の読み取り部と、第１の対象者から第１の対象者の生体情報を取得する生体情報取得部と、互いに関連付けられた識別情報及び生体情報を含む人物情報をサーバに送信する第１の情報管理部とを有し、サーバは、情報取得装置から送信された人物情報をデータベースに登録する第２の情報管理部を有し、情報端末は、第１の区域とは異なる第２の区域に配置され、第１の区域を通過した第２の対象者が所持する媒体から識別情報を読み取って取得する第２の読み取り部と、第２の読み取り部により取得された識別情報に関連付けられた生体情報をサーバから取得する情報取得部とを有する。
2019182069.tif 000002
【特許請求の範囲】
【請求項１】
サーバと、前記サーバと通信可能な情報取得装置と、前記サーバと通信可能な情報端末とを含み、
前記情報取得装置は、第１の対象者が待機する第１の区域に配置され、
前記第１の対象者が所持する媒体から識別情報を読み取って取得する第１の読み取り部と、
前記第１の対象者から前記第１の対象者の生体情報を取得する生体情報取得部と、
互いに関連付けられた前記識別情報及び前記生体情報を含む人物情報を前記サーバに送信する第１の情報管理部とを有し、
前記サーバは、
前記情報取得装置から送信された前記人物情報をデータベースに登録する第２の情報管理部を有し、
前記情報端末は、前記第１の区域とは異なる第２の区域に配置され、
前記第１の区域を通過した前記第１の対象者が所持する媒体から識別情報を読み取って取得する第２の読み取り部と、
前記第２の読み取り部により取得された前記識別情報に関連付けられた前記生体情報を前記サーバから取得する情報取得部とを有する
ことを特徴とする情報取得システム。
【請求項２】
前記情報取得部は、前記第２の読み取り部により前記識別情報が読み取られた前記第１の対象者について前記情報取得装置の使用の有無を前記サーバに問い合わせ、前記情報取得装置の使用がある場合に、前記第２の読み取り部により取得された前記識別情報に関連付けられた前記生体情報を前記サーバから取得することを特徴とする請求項１記載の情報取得システム。
【請求項３】
前記サーバは、前記情報取得装置から送信された前記人物情報に含まれる前記生体情報と、リストに登録された特定人物の生体情報とを照合する照合処理部とを有し、
前記情報取得部は、前記照合処理部による照合結果を示す照合情報を前記サーバから取得することを特徴とする請求項１又は２に記載の情報取得システム。
【請求項４】
前記サーバは、前記照合処理部による照合結果に応じて、警告を報知する報知処理部を有することを特徴とする請求項３記載の情報取得システム。
【請求項５】
前記生体情報取得部は、前記第１の対象者の生体画像を前記生体情報として取得することを特徴とする請求項１乃至４のいずれか１項に記載の情報取得システム。
【請求項６】
前記情報取得装置は、前記生体画像の品質を評価して品質値を算出する品質評価部を有し、
前記生体情報取得部は、前記品質値が基準値以上の前記生体画像を取得することを特徴とする請求項５記載の情報取得システム。
【請求項７】
前記生体画像は、前記第１の対象者の指紋画像及び顔画像の少なくとも一方であることを特徴とする請求項５又は６に記載の情報取得システム。
【請求項８】
前記情報取得装置は、可搬性を有することを特徴とする請求項１乃至７のいずれか１項に記載の情報取得システム。
【請求項９】
前記情報取得装置は、バッテリ駆動であることを特徴とする請求項１乃至８のいずれか１項に記載の情報取得システム。
【請求項１０】
前記情報取得装置は、前記サーバと無線で通信可能であることを特徴とする請求項１乃至９のいずれか１項に記載の情報取得システム。
【請求項１１】
サーバと、前記サーバと通信可能な情報端末とを含む情報取得システムに含まれ、第１の対象者が待機する第１の区域に配置され、前記サーバと通信可能な情報取得装置であって、
前記第１の対象者が所持する媒体から識別情報を読み取って取得する第１の読み取り部と、
前記第１の対象者から前記第１の対象者の生体情報を取得する生体情報取得部と、
互いに関連付けられた前記識別情報及び前記生体情報を含む人物情報を、前記第１の区域とは異なる第２の区域に配置され、前記第１の区域を通過した第２の対象者が所持する媒体から識別情報を読み取って取得する前記情報端末と通信可能な前記サーバに送信する第１の情報管理部と
を有することを特徴とする情報取得装置。
【請求項１２】
前記第１の読み取り部により前記識別情報が読み取られると、所定の時間内に前記生体情報が取得済みであるか否かを表示部に表示する表示制御部を有することを特徴とする請求項１１記載の情報取得装置。
【請求項１３】
前記生体情報として取得された生体画像の品質を評価して品質値を算出する品質評価部を有し、
前記生体情報取得部は、前記品質値が基準値以上の前記生体画像を取得することを特徴とする請求項１１記載の情報取得装置。
【請求項１４】
前記生体画像及び前記品質値を表示部に表示する表示制御部を有することを特徴とする請求項１３記載の情報取得装置。
【請求項１５】
前記第１の対象者による前記生体情報が利用される施設の利用回数又は事前登録の有無に応じて、前記生体情報取得部により取得する前記生体情報を決定する取得制御部を有することを特徴とする請求項１１乃至１４のいずれか１項に記載の情報取得装置。
【請求項１６】
前記取得制御部は、前記利用回数が多いほど又は前記事前登録がないよりも前記事前登録がある場合に、前記生体情報取得部により取得する前記生体情報の数を少なくすることを特徴とする請求項１５記載の情報取得装置。
【請求項１７】
第１の区域に配置された情報取得装置と、前記第１の区域とは異なる第２の区域に配置された情報端末とを含む情報取得システムに含まれ、前記情報取得装置及び前記情報端末と通信可能なサーバであって、
前記情報取得装置から送信された、前記第１の区域に待機する第１の対象者が所持する媒体から取得された識別情報、及び前記第１の対象者から取得された生体情報を含む人物情報をデータベースに登録する第２の情報管理部と、
前記情報端末から、前記第１の区域を通過した第２の対象者が所持する媒体から取得された識別情報に基づき前記第２の対象者についての前記情報取得装置の使用の有無の問い合わせを受け、前記情報取得装置の使用がある場合に、前記第２の対象者が所持する前記媒体から取得された前記識別情報に関連付けられた前記生体情報を前記情報端末に送信する通信部と
を有することを特徴とするサーバ。
【請求項１８】
前記情報取得装置から送信された前記人物情報に含まれる前記生体情報と、リストに登録された特定人物の生体情報とを照合する照合処理部を有し、
前記通信部は、前記照合処理部による照合結果を示す照合情報を前記情報端末に送信することを特徴とする請求項１７記載のサーバ。
【請求項１９】
前記人物情報は、前記第１の対象者が所持する前記媒体から取得された事前登録生体情報を含み、
前記照合処理部は、前記第１の対象者から取得された前記生体情報と前記事前登録生体情報とを照合することを特徴とする請求項１８記載のサーバ。
【請求項２０】
前記第２の情報管理部は、前記第２の対象者が所持する前記媒体から取得された前記識別情報に基づき前記第２の対象者についての前記情報取得装置の使用の有無の問い合わせを受けると、前記第２の対象者が所持する前記媒体から取得された前記識別情報の取得から所定の時間内に取得された、前記第２の対象者が所持する前記媒体から取得された前記識別情報に関連付けられた前記人物情報が前記データベースに登録されているか否かを判定し、
前記通信部は、前記所定の時間内に取得された前記人物情報が登録されている場合、前記人物情報及び前記照合情報を前記情報端末に送信することを特徴とする請求項１８又は１９に記載のサーバ。
【請求項２１】
サーバと、第１の区域に配置され、前記サーバと通信可能な情報取得装置とを含む情報取得システムに含まれ、前記第１の区域とは異なる第２の区域に配置され、前記サーバと通信可能な情報端末であって、
前記第１の区域を通過した第２の対象者が所持する媒体から識別情報を読み取って取得する第２の読み取り部と、
前記第２の読み取り部により取得された前記識別情報に関連付けられ、前記第１の区域に待機する第１の対象者から取得された前記第１の対象者の生体情報を前記サーバから取得する情報取得部と
を有することを特徴とする情報端末。
【請求項２２】
前記第２の読み取り部により前記識別情報が読み取られた前記第２の対象者について前記情報取得装置の使用の有無を前記サーバに問い合わせ、前記情報取得装置の使用がある場合に、前記第２の読み取り部により取得された前記識別情報に関連付けられた前記生体情報を前記サーバから取得することを特徴とする請求項２１記載の情報端末。
【請求項２３】
サーバと、前記サーバと通信可能な情報取得装置と、前記サーバと通信可能な情報端末とを含む情報取得システムを用い、
前記情報取得装置が、第１の対象者が待機する第１の区域に配置され、
前記第１の対象者が所持する媒体から識別情報を読み取って取得し、
前記第１の対象者から前記第１の対象者の生体情報を取得し、
互いに関連付けられた前記識別情報及び前記生体情報を含む人物情報を前記サーバに送信し、
前記サーバが、
前記情報取得装置から送信された前記人物情報をデータベースに登録し、
前記情報端末が、前記第１の区域とは異なる第２の区域に配置され、
前記第１の区域を通過した前記第１の対象者が所持する媒体から識別情報を読み取って取得し、
取得した前記識別情報に関連付けられた前記生体情報を前記サーバから取得する
ことを特徴とする情報取得方法。
【発明の詳細な説明】
【技術分野】
【０００１】
本発明は、情報取得システム、情報取得装置、サーバ、情報端末及び情報取得方法に関する。
【背景技術】
【０００２】
特定の施設等への入場審査では、入場者について生体情報である指紋及び顔の画像情報の登録が必要とされる場合がある（特許文献１、２）。指紋及び顔の画像情報の登録は、審査官が入場者に対応して審査を行う審査ブース等で行われる。
【先行技術文献】
【特許文献】
【０００３】
【特許文献１】国際公開第２０１２／０５３２４２号
【特許文献２】特開２０１５−２２２４５９号公報
【発明の概要】
【発明が解決しようとする課題】
【０００４】
しかしながら、審査が行われる審査ブースでは、混雑等により、入場者の長い行列ができ、審査の待ち時間が長時間化することがある。このため、審査では、生体情報である指紋画像及び顔画像の取得の円滑化が求められている。【０００５】
本発明は、生体情報の取得の円滑化を実現することができる情報取得システム、情報取得装置、サーバ、情報端末及び情報取得方法を提供することを目的とする。
【課題を解決するための手段】
【０００６】
本発明の一観点によれば、サーバと、前記サーバと通信可能な情報取得装置と、前記サーバと通信可能な情報端末とを含み、前記情報取得装置は、第１の対象者が待機する第１の区域に配置され、前記第１の対象者が所持する媒体から識別情報を読み取って取得する第１の読み取り部と、前記第１の対象者から前記第１の対象者の生体情報を取得する生体情報取得部と、互いに関連付けられた前記識別情報及び前記生体情報を含む人物情報を前記サーバに送信する第１の情報管理部とを有し、前記サーバは、前記情報取得装置から送信された前記人物情報をデータベースに登録する第２の情報管理部を有し、前記情報端末は、前記第１の区域とは異なる第２の区域に配置され、前記第１の区域を通過した第２の対象者が所持する媒体から識別情報を読み取って取得する第２の読み取り部と、前記第２の読み取り部により取得された前記識別情報に関連付けられた前記生体情報を前記サーバから取得する情報取得部とを有することを特徴とする情報取得システムが提供される。【０００７】
本発明の他の観点によれば、サーバと、前記サーバと通信可能な情報端末とを含む情報取得システムに含まれ、第１の対象者が待機する第１の区域に配置され、前記サーバと通信可能な情報取得装置であって、前記第１の対象者が所持する媒体から識別情報を読み取って取得する第１の読み取り部と、前記第１の対象者から前記第１の対象者の生体情報を取得する生体情報取得部と、互いに関連付けられた前記識別情報及び前記生体情報を含む人物情報を、前記第１の区域とは異なる第２の区域に配置され、前記第１の区域を通過した第２の対象者が所持する媒体から識別情報を読み取って取得する前記情報端末と通信可能な前記サーバに送信する第１の情報管理部とを有することを特徴とする情報取得装置が提供される。【０００８】
本発明のさらに他の観点によれば、第１の区域に配置された情報取得装置と、前記第１の区域とは異なる第２の区域に配置された情報端末とを含む情報取得システムに含まれ、前記情報取得装置及び前記情報端末と通信可能なサーバであって、前記情報取得装置から送信された、前記第１の区域に待機する第１の対象者が所持する媒体から取得された識別情報、及び前記第１の対象者から取得された生体情報を含む人物情報をデータベースに登録する第２の情報管理部と、前記情報端末から、前記第１の区域を通過した第２の対象者が所持する媒体から取得された識別情報に基づき前記第２の対象者についての前記情報取得装置の使用の有無の問い合わせを受け、前記情報取得装置の使用がある場合に、前記第２の対象者が所持する前記媒体から取得された前記識別情報に関連付けられた前記生体情報を前記情報端末に送信する通信部とを有することを特徴とするサーバが提供される。【０００９】
本発明のさらに他の観点によれば、サーバと、第１の区域に配置され、前記サーバと通信可能な情報取得装置とを含む情報取得システムに含まれ、前記第１の区域とは異なる第２の区域に配置され、前記サーバと通信可能な情報端末であって、前記第１の区域を通過した第２の対象者が所持する媒体から識別情報を読み取って取得する第２の読み取り部と、前記第２の読み取り部により取得された前記識別情報に関連付けられ、前記第１の区域に待機する第１の対象者から取得された前記第１の対象者の生体情報を前記サーバから取得する情報取得部とを有することを特徴とする情報端末が提供される。【００１０】
本発明のさらに他の観点によれば、サーバと、前記サーバと通信可能な情報取得装置と、前記サーバと通信可能な情報端末とを含む情報取得システムを用い、前記情報取得装置が、第１の対象者が待機する第１の区域に配置され、前記第１の対象者が所持する媒体から識別情報を読み取って取得し、前記第１の対象者から前記第１の対象者の生体情報を取得し、互いに関連付けられた前記識別情報及び前記生体情報を含む人物情報を前記サーバに送信し、前記サーバが、前記情報取得装置から送信された前記人物情報をデータベースに登録し、前記情報端末が、前記第１の区域とは異なる第２の区域に配置され、前記第１の区域を通過した第２の対象者が所持する媒体から識別情報を読み取って取得し、取得した前記識別情報に関連付けられた前記生体情報を前記サーバから取得することを特徴とする情報取得方法が提供される。
【発明の効果】
【００１１】
本発明によれば、生体情報の取得の円滑化を実現することができる。
【図面の簡単な説明】
【００１２】
【図１】図１は、本発明の第１実施形態による情報取得システムの全体構成を示す概略図である。
【図２】図２は、本発明の第１実施形態による情報取得システムが導入された審査場の一例を示す概略図である。
【図３】図３は、本発明の第１実施形態による情報取得システムの機能構成を示すブロック図である。
【図４】図４は、本発明の第１実施形態による情報取得カートのハードウェア構成の一例を示すブロック図である。
【図５】図５は、本発明の第１実施形態による情報取得カートの外観の一例を示す概略図である。
【図６】図６は、本発明の第１実施形態によるサーバのハードウェア構成の一例を示すブロック図である。
【図７】図７は、本発明の第１実施形態によるブース端末のハードウェア構成の一例を示すブロック図である。
【図８】図８は、本発明の第１実施形態による情報取得方法を示すシーケンス図である。
【図９】図９は、本発明の第１実施形態による情報取得方法における情報取得カートでの処理を示すフローチャートである。
【図１０】図１０は、本発明の第１実施形態による情報取得方法における情報取得カートでの処理のうちの顔画像の取得を示すフローチャートである。
【図１１】図１１は、本発明の第１実施形態による情報取得カートの顔画像の取得画面の例を示す概略図である。
【図１２】図１２は、本発明の第１実施形態による情報取得方法におけるサーバでの処理のうちの照合情報の登録を示すフローチャートである。
【図１３】図１３は、本発明の第１実施形態による情報取得方法におけるブース端末での処理を示すフローチャートである。
【図１４】図１４は、本発明の第２実施形態による情報取得システムの機能構成を示すブロック図である。
【図１５】図１５は、本発明の第３実施形態によるコンピュータ装置の例を示す概略図である。
【図１６】図１６は、本発明の他の実施形態による情報取得システムの機能構成を示すブロック図である。
【発明を実施するための形態】
【００１３】
［第１実施形態］
本発明の第１実施形態による情報取得システム及び情報取得方法について図１乃至図１３を用いて説明する。
【００１４】
まず、本実施形態による情報取得システムについて図１乃至図３を用いて説明する。図１は、本実施形態による情報取得システムの全体構成を示す概略図である。図２は、本実施形態による情報取得システムが導入された審査場の一例を示す概略図である。図３は、本実施形態による情報取得システムの機能構成を示すブロック図である。
【００１５】
本実施形態による情報取得システムは、空港又は海港における審査場において、審査を受けるべき入場者の個人識別情報として生体情報を取得し、取得した生体情報を審査において利用するものである。本実施形態では、生体情報として、指紋画像及び顔画像を取得して利用する場合を適宜具体例として説明する。生体とは、例えば、指紋、顔、静脈、声紋、脳波等、個人を特定できる体、又は体から発生するものを含む。また、生体情報とは、上記生体に関する情報であればよく、デジタル情報もアナログ情報も含む。
【００１６】
図１に示すように、本実施形態による情報取得システム１は、審査場Ａにおいて移動可能に配置された情報取得カート１０と、管理局の施設内に設置されたサーバ２０と、審査場Ａの審査ブースＢに配置されたブース端末３０とを含んでいる。なお、審査場Ａにおいては、複数の情報取得カート１０が配置され、複数の審査ブースＢのそれぞれにブース端末３０が配置されている。審査ブースＢは、情報取得カート１０が配置された区域とは異なる区域に設けられている。情報取得カート１０は、案内係Ｃにより操作される。また、審査ブースＢでは、入場の許可を要求する要求者である入場者Ｖに対して、審査官Ｅにより審査が行われる。
【００１７】
情報取得カート１０、サーバ２０及びブース端末３０は、それぞれネットワーク４０にネットワーク接続されている。情報取得カート１０とサーバ２０とは、ネットワーク４０を介して通信可能になっている。また、ブース端末３０とサーバ２０とは、ネットワーク４０を介して通信可能になっている。ネットワーク４０は、その種別が特に限定されるものではないが、例えば、ＬＡＮ（Local  Area  Network）、ＷＡＮ（Wide  Area  Network）である。
【００１８】
例えば、審査場Ａでは、図２に示すように、入場者Ｖ及び入場者ｖを含む入場者が、国籍その他の属性等の別に応じて、異なる進路に従って審査ブースＢに誘導される。入場者Ｖは、進路Ｐ１に従って複数の審査ブースＢのうちの特定の属性等を有する入場者用の審査ブースＢに誘導されて審査を受ける。入場者ｖは、進路Ｐ２に従って複数の審査ブースＢのうちの別の属性等を有する入場者用の審査ブースＢに誘導されて審査を受ける。
【００１９】
情報取得カート１０は、可搬性を有しており、審査を受けるべき対象者である入場者Ｖが通過する進路Ｐ１を含む区域に移動可能に配置される。情報取得カート１０の移動及び操作は、その操作者である案内係Ｃにより行われる。情報取得カート１０は、進路Ｐ１において並んで審査を待機する入場者Ｖの進行方向とは逆方向に進路Ｐ１を移動されながら、並んだ入場者Ｖの各位置で停止される。各停止位置において、情報取得カート１０は、個人識別番号、及び指紋画像、顔画像等の生体情報の取得のために操作される。情報取得カート１０により取得された個人識別番号、及び指紋画像、顔画像等の生体情報は、後述するようにサーバ２０に送信されて登録される。サーバ２０に送信されて登録された生体情報は、審査ブースＢにおける審査官Ｅによる審査に利用される。
【００２０】
次に、本実施形態における情報取得システム１における各構成要素について詳述する。
【００２１】
情報取得カート１０は、審査ブースＢに向かう入場者Ｖが通過する進路Ｐ１を含む区域において、審査を待機する入場者Ｖから、その個人識別番号、並びにその生体情報である指紋画像及び顔画像を取得する情報取得装置である。情報取得カート１０は、図３に示すように、個人識別カード読み取り部１０２と、指紋画像取得部１０４と、顔画像取得部１０６と、第１の表示部１０８と、第２の表示部１１０と、制御部１１２と、通信部１１４とを有している。
【００２２】
個人識別カード読み取り部１０２は、例えば、ＯＣＲ（Optical  Character  Reader）装置、非接触ＩＣ（Integrated  Circuit）リーダにより構成され、審査を待機する入場者Ｖが提示した個人識別カードを読み取って個人識別番号を取得する読み取り部である。個人識別カードは、個人識別番号を含む識別情報が記載又は記録された媒体である。
【００２３】
機械読み取り式個人識別カードの場合、個人識別カード読み取り部１０２は、ＯＣＲ等の機械で個人識別カードの券面の読み取り部分を読み取って個人識別番号を取得する。また、非接触ＩＣチップが搭載されたＩＣ個人識別カードの場合、個人識別カード読み取り部１０２は、ＩＣチップに記録された個人識別番号を取得する。
【００２４】
ＩＣ個人識別カードの場合、そのＩＣチップには、個人識別カード申請時の申請人の指紋画像、顔画像、虹彩画像、指の静脈画像、掌紋画像、手のひらの静脈画像等の生体情報が記録されて事前に登録されている。ＩＣチップに事前に登録された生体情報である事前登録生体情報は、１つであっても複数であってもよい。また、複数の事前登録生体情報は、いかなる生体情報の組み合わせであってもよい。事前登録生体情報がＩＣチップに記録されている場合、個人識別カード読み取り部１０２は、ＩＣチップに記録された個人識別カード申請時の顔画像等の事前登録生体情報をさらに取得する。
【００２５】
指紋画像取得部１０４は、例えば、静電容量式、光学式等の指紋スキャナにより構成され、入場者Ｖの指紋画像を取得する生体情報取得部である。指紋画像は、入場者Ｖの生体画像の１つである。指紋画像取得部１０４は、例えば、２台の指紋スキャナにより構成され、それぞれの読み取り面に腹を向けて置かれた例えば両手人差し指の２指の指紋を読み取ってそれぞれの指紋画像を取得する。なお、後述するように、指紋画像取得部１０４により一定以上の品質の指紋画像が取得されるように、取得制御部１１６において指紋画像の品質評価が行われる。
【００２６】
顔画像取得部１０６は、例えばデジタルカメラにより構成され、入場者Ｖの顔画像を取得する生体情報取得部である。顔画像は、入場者Ｖの生体画像の１つである。なお、後述するように、顔画像取得部１０６により一定以上の品質の顔画像が取得されるように、取得制御部１１６において顔画像の品質評価が行われる。
【００２７】
生体情報取得部としては、指紋画像取得部１０４、顔画像取得部１０６のほか、以下に述べるように種々の生体情報取得部を用いることができる。情報取得カート１０の生体情報取得部により取得された生体情報であるカート取得生体情報は、単独で用いることもできるし、複数を組み合わせて用いることもできる。
【００２８】
例えば、生体情報取得部として、虹彩画像取得部を用いることができる。虹彩画像取得部は、例えば、赤外線カメラ、可視光カメラ等のデジタルカメラにより構成され、入場者Ｖの虹彩画像を取得する。虹彩画像取得部は、顔画像取得部１０６が顔画像を取得すると同時に又は並行して、虹彩画像を取得するように構成することができる。虹彩画像取得部についても、これにより一定以上の品質の虹彩画像が取得されるように、取得制御部１１６において虹彩画像の品質評価が行われるようにすることができる。
【００２９】
また、例えば、生体情報取得部として、指静脈画像取得部を用いることができる。指静脈画像取得部は、例えば、近赤外線を指に透過させて得られる入場者Ｖの指の静脈パターンを撮影することにより、入場者Ｖの指の静脈画像を取得する。指静脈画像取得部は、指紋画像取得部１０４が指紋を取得すると同時に又は並行して、指紋画像取得部１０４が指紋を取得する指の静脈画像を取得するように構成することができる。指静脈画像取得部についても、これにより一定以上の品質の指の静脈画像が取得されるように、取得制御部１１６において指の静脈画像の品質評価が行われるようにすることができる。
【００３０】
また、例えば、生体情報取得部として、掌紋画像取得部を用いることができる。掌紋画像取得部は、例えば、デジタルカメラ等で入場者Ｖの手のひらを撮影することにより、入場者Ｖの掌紋画像を取得する。掌紋画像取得部についても、これにより一定以上の品質の掌紋画像が取得されるように、取得制御部１１６において掌紋画像の品質評価が行われるようにすることができる。
【００３１】
また、生体情報取得部として、掌静脈画像取得部を用いることができる。掌静脈画像取得部は、例えば、手のひらに近赤外線又は可視光を照射して入場者Ｖの手のひらの静脈パターンを撮影することにより、入場者Ｖの手のひらの静脈画像を取得する。掌静脈画像取得部は、掌紋画像取得部が掌紋画像を取得すると同時に又は並行して、掌紋画像取得部が掌紋画像を取得する手のひらの静脈画像を取得するように構成することができる。掌静脈画像取得部についても、これにより一定以上の品質の手のひらの静脈画像が取得されるように、取得制御部１１６において手のひらの静脈画像を品質評価が行われるようにすることができる。
【００３２】
上述した生体情報取得部は、２つ以上を組み合わせて用いることができ、また、いずれか１つの生体情報取得部を単独で用いることもできる。また、２つ以上の生体情報取得部を用いる場合、各生体情報取得部により生体情報を取得する順序は、特に限定されるものではなく、いかなる順序であってもよい。また、２つ以上の生体情報取得部が同時に又は並行して生体情報を取得してもよい。取得制御部１１６は、複数の生体情報取得部により生体情報を取得する順序を制御する。
【００３３】
第１の表示部１０８は、例えばタッチパネルディスプレイにより構成され、案内係Ｃに対する操作画面を表示するとともに、案内係Ｃからの操作指示の入力を受け付ける。
【００３４】
第２の表示部１１０は、例えばディスプレイにより構成され、入場者Ｖに対する案内画面を表示する。
【００３５】
制御部１１２は、情報取得カート１０の各部の動作を制御するものである。制御部１１２は、取得制御部１１６と、表示制御部１１８と、人物情報管理部１２０とを有している。
【００３６】
取得制御部１１６は、個人識別カード読み取り部１０２による個人識別番号及び事前登録生体情報の取得を制御する。また、取得制御部１１６は、生体情報取得部による生体情報の取得を制御する。具体的には、取得制御部１１６は、指紋画像取得部１０４による指紋画像の取得を制御する。また、取得制御部１１６は、顔画像取得部１０６による顔画像の取得を制御する。また、取得制御部１１６は、上述した他の生体情報取得部による生体情報の取得を制御する。
【００３７】
また、取得制御部１１６は、個人識別カード読み取り部１０２により取得された個人識別番号及び事前登録生体情報を人物情報管理部１２０に送る。また、取得制御部１１６は、生体情報取得部により取得された生体情報を人物情報管理部１２０に送る。具体的には、取得制御部１１６は、指紋画像取得部１０４により取得された指紋画像、顔画像取得部１０６により取得された顔画像、及びその他の生体情報取得部により取得された生体情報を人物情報管理部１２０に送る。
【００３８】
また、取得制御部１１６は、生体情報取得部により取得された生体画像等の生体情報の品質を評価する品質評価部として機能する。具体的には、取得制御部１１６は、指紋画像取得部１０４により取得された指紋画像の品質を評価して、その品質の指標となる指紋画像の品質値を算出する。また、取得制御部１１６は、顔画像取得部１０６により取得された顔画像の品質を評価して、その品質の指標となる顔画像の品質値を算出する。また、取得制御部１１６は、他の生体情報についても、その品質の指標となる生体情報の品質値を算出する。
【００３９】
また、取得制御部１１６は、入場者Ｖが該当する条件に応じて、生体情報取得部により取得する生体情報を決定することができる。すなわち、取得制御部１１６は、入場者Ｖが該当する条件に応じて、生体情報取得部により取得する生体情報を変更することができる。入場者Ｖが該当する条件としては、例えば、生体情報取得部により取得される生体情報が利用される施設である審査場Ａの入場者Ｖによる利用回数が挙げられる。また、入場者Ｖが該当する条件として、例えば、入場者Ｖによる、事前申請や有料申請による優待登録その他の事前登録の有無が挙げられる。
【００４０】
例えば、取得制御部１１６は、入場者Ｖの審査場Ａの利用回数が多いほど、生体情報取得部により取得する生体情報の数を少なくすることができる。また、例えば、取得制御部１１６は、入場者Ｖの審査場Ａの利用回数が多いほど、より取得の簡易な生体情報を取得するように生体情報取得部による生体情報の取得を制御することができる。すなわち、取得制御部１１６は、取得が簡易な順に定められた生体情報の順位に基づき、入場者Ｖの審査場Ａの利用回数が多いほど、より高順位の生体情報を取得するように生体情報取得部による生体情報の取得を制御することができる。また、例えば、取得制御部１１６は、入場者Ｖの審査場Ａの利用回数が少ないほど、より精度の高い生体情報を取得するように生体情報取得部による生体情報の取得を制御することができる。すなわち、取得制御部１１６は、精度の高い順に定められた生体情報の順位に基づき、入場者Ｖの審査場Ａの利用回数が少ないほど、より高順位の生体情報を取得するように生体情報取得部による生体情報の取得を制御することができる。
【００４１】
例えば、上述した生体情報では、顔画像が最も取得が簡易であり、指紋画像が２番目に、指又は手のひらの静脈画像が３番目に、掌紋画像が４番目に、虹彩画像が５番目に取得が簡易である。この場合、取得制御部１１６は、入場者Ｖの審査場Ａの利用回数が多いほど又は優待登録等の事前登録があると、この順番に応じて、より取得が簡易な生体情報を取得するように生体情報取得部による生体情報の取得を制御することができる。
【００４２】
また、例えば、上述した生体情報では、虹彩画像が最も精度が高く、指紋画像が２番目に、指又は手のひらの静脈画像が３番目に、顔画像が４番目に、掌紋画像が５番目に精度が高い。この場合、取得制御部１１６は、入場者Ｖの審査場Ａの利用回数が少ないほど又は優待登録等の事前登録がないと、この順番に応じて、より精度の高い生体情報を取得するように生体情報取得部による生体情報の取得を制御することができる。
【００４３】
具体的には、例えば、取得制御部１１６は、利用回数についてそれぞれ設定された第１の閾値、及び第１の閾値よりも小さい第２の閾値を基準に生体情報の数及び種類を変更することができる。この場合、取得制御部１１６は、例えば、利用回数が第１の閾値以上の場合には顔画像のみを取得し、利用回数が第１の閾値未満かつ第２の閾値以上の場合には顔画像及び指紋画像を取得するように生体情報の取得を制御することができる。また、取得制御部１１６は、例えば、利用回数が第２の閾値未満の場合には顔画像、指紋画像及び指の静脈画像を取得するように生体情報の取得を制御することができる。なお、利用回数についての閾値の数及び閾値の値は、審査場Ａの規模、単位時間当たりに処理すべき入場者Ｖの数等の種々の要素に応じて適宜設定することができる。
【００４４】
また、例えば、取得制御部１１６は、入場者Ｖが事前登録されている場合に、事前登録されていない場合よりも生体情報取得部により取得する生体情報の数を少なくすることができる。また、取得制御部１１６は、入場者Ｖが事前登録されている場合に、事前登録されていない場合よりも取得が簡易な生体情報を取得するように生体情報の取得を制御することができる。
【００４５】
具体的には、例えば、取得制御部１１６は、入場者Ｖが事前登録されている場合には顔画像のみを取得し、入場者Ｖが事前登録されていない場合には顔画像及び指紋画像を取得するように生体情報の取得を制御することができる。
【００４６】
なお、審査場Ａの利用回数、事前登録の有無等の入場者Ｖが該当する条件に関する情報は、例えば、サーバ２０の第１の記憶部２０４等の記憶部に、入場者Ｖの個人識別番号と対応づけられて登録されている。この場合、個人識別カード読み取り部１０２が入場者Ｖの個人識別番号を取得すると、取得制御部１１６は、個人識別番号をサーバ２０に送信することにより問い合わせを行う。これにより、取得制御部１１６は、各個人識別番号に対応する審査場Ａの利用回数、事前登録の有無等の条件に関する情報をサーバ２０から取得することができる。取得制御部１１６は、サーバ２０から取得した条件に関する情報を用いて、上述のように生体情報取得部により取得する生体情報を変更することができる。
【００４７】
また、審査場Ａの利用回数、事前登録の有無等の入場者Ｖが該当する条件に関する情報は、例えば、情報取得カート１０の記憶部１２２に、入場者Ｖの個人識別番号と対応づけられて登録されていてもよい。この場合、取得制御部１１６は、各個人識別番号に対応する審査場Ａの利用回数、事前登録の有無等の条件に関する情報を記憶部１２２から取得することができる。取得制御部１１６は、記憶部１２２から取得した条件に関する情報を用いて、上述のように生体情報取得部により取得する生体情報を変更することができる。
【００４８】
また、審査場Ａの利用回数、事前登録の有無等の入場者Ｖが該当する条件に関する情報は、例えば、その個人識別カードに記録されていてもよい。この場合、個人識別カード読み取り部１０２は、入場者Ｖの個人識別カードから審査場Ａの利用回数、事前登録の有無等に関する情報を読み出すことができる。取得制御部１１６は、個人識別カード読み取り部１０２により読み出された条件に関する情報を用いて、上述のように生体情報取得部により取得する生体情報を変更することができる。
【００４９】
表示制御部１１８は、第１の表示部１０８による案内係Ｃに対する操作画面の表示、及び第２の表示部１１０による入場者Ｖに対する案内画面の表示を制御する。表示制御部１１８は、第１の表示部１０８に表示する操作画面に応じて、第２の表示部１１０に案内画面を表示する。
【００５０】
人物情報管理部１２０は、取得制御部１１６から送られた個人識別番号、事前登録生体情報、生体情報取得部により取得された指紋画像、顔画像等のカート取得生体情報を入場者Ｖごとに互いに関連付けて管理する情報管理部である。また、人物情報管理部１２０は、互いに関連付けられた個人識別番号、事前登録生体情報及びカート取得生体情報を含む人物情報を通信部１１４を介して送信する。人物情報は、さらに、個人識別番号、及び指紋画像、顔画像等のカート取得生体情報が取得された日時を示す日時情報を含んでいる。
【００５１】
なお、情報取得カート１０は、記憶部１２２を有することができる。人物情報管理部１２０は、サーバ２０に送信すべき取得された人物情報を記憶部１２２に一時的に記録することができる。
【００５２】
通信部１１４は、ネットワーク４０に無線で接続されており、情報取得カート１０とサーバ２０との通信を可能にする。
【００５３】
サーバ２０は、制御部２０２と、第１の記憶部２０４と、第２の記憶部２０６と、第３の記憶部２０８と、通信部２１０とを有している。
【００５４】
制御部２０２は、サーバ２０の各部の動作を制御するものである。制御部２０２は、人物情報管理部２１２と、照合処理部２１４と、照合情報管理部２１６とを有している。
【００５５】
第１の記憶部２０４には、情報取得カート１０により取得された人物情報が登録される人物情報データベース（ＤＢ、Database）が格納されている。
【００５６】
第２の記憶部２０６には、審査に特に留意を要すべき又は入場を不許可とすべき要注意人物の生体情報が登録された生体情報ブラックリスト（ＢＬ、Blacklist）が格納されている。また、第２の記憶部２０６には、入場を許可すべき人物の生体情報が登録された生体情報ホワイトリスト（ＷＬ、Whitelist）が格納されていてもよい。なお、第２の記憶部２０６には、生体情報ＢＬ及び生体情報ＷＬのいずれか一方が格納されていてもよいし、両方が格納されていてもよい。なお、以下では、生体情報ＢＬ又は生体情報ＷＬを照合に用いる場合を例に説明するが、生体情報ＢＬ及び生体情報ＷＬの両方を照合に用いることもできる。
【００５７】
第３の記憶部２０８には、照合情報が登録される照合情報ＤＢが格納されている。照合情報は、後述するように、情報取得カート１０により取得された人物情報に含まれるカート取得生体情報と生体情報ＢＬ又は生体情報ＷＬとの照合結果、及びカート取得生体情報と事前登録生体情報との照合結果を示すものである。
【００５８】
人物情報管理部２１２は、情報取得カート１０から送信された人物情報を管理する情報管理部である。人物情報管理部２１２は、情報取得カート１０から送信された人物情報を、第１の記憶部２０４の人物情報ＤＢに登録する。人物情報ＤＢに登録された人物情報は、個人識別番号、事前登録生体情報、カート取得生体情報及び日時情報が互いに関連付けられている。また、人物情報管理部２１２は、ブース端末３０からの情報取得カート１０の使用の有無の問い合わせに対して、人物情報ＤＢを参照して回答する。
【００５９】
照合処理部２１４は、第１の記憶部２０４の人物情報ＤＢに登録された人物情報に含まれるカート取得生体情報と、第２の記憶部２０６の生体情報ＢＬ又は生体情報ＷＬに登録された同種の生体情報とを照合する。具体的には、照合処理部２１４は、人物情報ＤＢに登録された人物情報に含まれる指紋画像取得部１０４により取得された指紋画像と、生体情報ＢＬ又は生体情報ＷＬに登録された指紋画像とを照合する。また、照合処理部２１４は、人物情報ＤＢに登録された人物情報に含まれる顔画像取得部１０６により取得された顔画像と、生体情報ＢＬ又は生体情報ＷＬに登録された顔画像とを照合する。また、照合処理部２１４は、人物情報ＤＢに登録された人物情報に含まれる各種生体情報取得部により取得された虹彩画像、指の静脈画像、掌紋画像、手のひらの静脈画像等の生体情報と、生体情報ＢＬ又は生体情報ＷＬに登録された同種の生体情報とを照合することもできる。
【００６０】
さらに、照合処理部２１４は、第１の記憶部２０４の人物情報ＤＢに登録された人物情報に含まれるカート取得生体情報と、ＩＣ個人識別カードから取得した同種の事前登録生体情報とを照合する。具体的には、照合処理部２１４は、人物情報ＤＢに登録された人物情報に含まれる指紋画像取得部１０４により取得された指紋画像と、ＩＣ個人識別カードから取得された指紋画像とを照合する。また、照合処理部２１４は、人物情報ＤＢに登録された人物情報に含まれる顔画像取得部１０６により取得された顔画像と、ＩＣ個人識別カードから取得された顔画像とを照合する。また、照合処理部２１４は、人物情報ＤＢに登録された人物情報に含まれる各種生体情報取得部により取得された虹彩画像、指の静脈画像、掌紋画像、手のひらの静脈画像等の生体情報と、ＩＣ個人識別カードから取得した同種の生体情報とを照合することもできる。こうして、照合処理部２１４は、カート取得生体情報と事前登録生体情報とを照合することにより、入場者ＶとＩＣ個人識別カードの申請人との同一性を確認して、入場者Ｖの本人確認を行うことができる。
【００６１】
なお、カート取得生体情報と事前登録生体情報とを照合する場合においても、照合する生体情報の種類及び数は、特に限定されるものではなく、また、例えば、入場者Ｖが該当する条件等に応じて適宜変更することができる。
【００６２】
照合処理部２１４は、照合結果を示す照合情報を第３の記憶部２０８の照合情報ＤＢに登録する。照合結果は、カート取得生体情報と生体情報ＢＬ又は生体情報ＷＬに登録された生体情報との照合結果、及びカート取得生体情報と事前登録生体情報との照合結果を含む。
【００６３】
照合情報管理部２１６は、第３の記憶部２０８の照合情報ＤＢに登録された照合情報を個人識別番号と関連付けて管理する。照合情報管理部２１６は、後述するブース端末３０からの要求に応じて、照合情報ＤＢに登録された照合情報を通信部２１０を介してブース端末３０に送信する。
【００６４】
通信部２１０は、ネットワーク４０に有線又は無線で接続されており、情報取得カート１０及びブース端末３０との通信を可能にする。
【００６５】
ブース端末３０は、情報取得カート１０が配置された区域とは異なる区域に設けられた審査ブースＢに配置され、審査官Ｅが使用する情報端末である。ブース端末３０は、個人識別カード読み取り部３０２と、制御部３０４と、表示部３０６と、通信部３０８とを有している。
【００６６】
個人識別カード読み取り部３０２は、例えば、ＯＣＲ装置、非接触ＩＣリーダにより構成され、審査ブースＢに進んだ入場者Ｖが提示した個人識別カードから個人識別番号を読み取って個人識別番号を取得する読み取り部である。審査ブースＢに進んだ入場者Ｖは、情報取得カート１０が配置された進路Ｐ１を含む区域を通過した者であり、審査による入場の許可を要求する要求者である。
【００６７】
機械読み取り式個人識別カードの場合、個人識別カード読み取り部３０２は、ＯＣＲ等の機械で個人識別カードの読み取り部分を読み取って個人識別番号を取得する。また、非接触ＩＣチップが搭載されたＩＣ個人識別カードの場合、個人識別カード読み取り部３０２は、ＩＣチップに記録された個人識別番号を取得する。
【００６８】
制御部３０４は、ブース端末３０の各部の動作を制御するものである。制御部３０４は、情報取得部３１０と、表示制御部３１２とを有している。
【００６９】
情報取得部３１０は、個人識別カード読み取り部３０２により取得された個人識別番号に基づき、その個人識別番号の入場者Ｖについて情報取得カート１０の使用の有無を通信部３０８を介してサーバ２０に問い合わせる。問い合わせを受けたサーバ２０の人物情報管理部２１２は、サーバ２０の人物情報ＤＢを参照して、情報取得カート１０の使用の有無を情報取得部３１０に回答する。この際、人物情報管理部２１２は、人物情報ＤＢを参照して、個人識別カード読み取り部３０２による個人識別番号の取得から所定の時間内に取得された、その個人識別番号を含む人物情報が人物情報ＤＢに登録されているか否かを確認する。登録されている場合、人物情報管理部２１２は、情報取得カート１０の使用がある旨を情報取得部３１０に回答する。情報取得カート１０の使用がある場合、情報取得部３１０は、個人識別カード読み取り部３０２により取得された個人識別番号に基づき、その個人識別番号を含む直近の人物情報及びその照合情報をサーバ２０から通信部３０８を介して取得する。情報取得部３１０が取得する人物情報は、個人識別カード読み取り部３０２により取得された個人識別番号に関連付けられた直近の生体情報を含んでいる。また、情報取得部３１０が取得する照合情報は、個人識別カード読み取り部３０２により取得された個人識別番号に関連付けられたものである。
【００７０】
表示制御部３１２は、情報取得部３１０により取得された人物情報に及び照合情報を表示部３０６に表示する。
【００７１】
表示部３０６は、例えばディスプレイにより構成され、審査ブースＢの審査官Ｅに対して人物情報、照合情報等の各種情報を表示するものである。表示される人物情報には、指紋画像及び顔画像が含まれる。
【００７２】
通信部３０８は、ネットワーク４０に有線又は無線で接続されており、サーバ２０との通信を可能にする。
【００７３】
こうして、情報取得カート１０と、サーバ２０と、ブース端末３０とを含む情報取得システム１が構成されている。
【００７４】
上述した情報取得カート１０は、例えばコンピュータ装置により構成される。情報取得カート１０のハードウェア構成の一例について図４及び図５を用いて説明する。図４は、本実施形態による情報取得カート１０のハードウェア構成の一例を示すブロック図である。図５は、本実施形態による情報取得カート１０の外観の一例を示す概略図である。
【００７５】
情報取得カート１０は、図４に示すように、ＣＰＵ（Central  Processing  Unit）１００２と、ＲＯＭ（Read  Only  Memory）１００４と、ＲＡＭ（Random  Access  Memory）１００６と、ＨＤＤ（Hard  Disk  Drive）１００８とを有している。また、情報取得カート１０は、通信インターフェース（Ｉ／Ｆ（Interface））１０１０と、バッテリ１０１２とを有している。また、情報取得カート１０は、個人識別カードリーダ１０１４と、指紋スキャナ１０１６と、カメラ１０１８とを有している。さらに、情報取得カート１０は、ディスプレイ１０２０と、ディスプレイ１０２２と、入力装置１０２４とを有している。ＣＰＵ１００２、ＲＯＭ１００４、ＲＡＭ１００６、ＨＤＤ１００８、通信Ｉ／Ｆ１０１０、及びバッテリ１０１２は、バスライン１０２６に接続されている。個人識別カードリーダ１０１４、指紋スキャナ１０１６、カメラ１０１８、ディスプレイ１０２０、ディスプレイ１０２２、及び入力装置１０２４も、バスライン１０２６に接続されている。
【００７６】
ＣＰＵ１００２は、情報取得カート１０の全体の動作を制御する。また、ＣＰＵ１００２は、制御部１１２における取得制御部１１６、表示制御部１１８及び人物情報管理部１２０の各部の機能を実現するプログラムを実行する。ＣＰＵ１００２は、ＨＤＤ１００８等に記憶されたプログラムをＲＡＭ１００６にロードして実行することにより、制御部１１２における各部の機能を実現する。
【００７７】
ＲＯＭ１００４は、ブートプログラム等のプログラムが記憶されている。ＲＡＭ１００６は、ＣＰＵ１００２がプログラムを実行する際のワーキングエリアとして使用される。また、ＨＤＤ１００８には、ＣＰＵ１００２が実行するプログラムが記憶されている。
【００７８】
また、ＨＤＤ１００８は、記憶部１２２の機能を実現する記憶装置である。なお、記憶部１２２の機能を実現する記憶装置は、ＨＤＤ１００８に限定されるものではない。種々の記憶装置を記憶部１２２の機能を実現するものとして用いることができる。
【００７９】
通信Ｉ／Ｆ１０１０は、無線でネットワーク４０に接続されている。通信Ｉ／Ｆ１０１０は、ネットワーク４０に接続されたサーバ２０との間のデータの無線通信を制御する。
【００８０】
バッテリ１０１２は、情報取得カート１０の各部に電源を供給する。このように、情報取得カート１０は、バッテリ１０１２により駆動される。情報取得カート１０は、無線通信機能を有すること及びバッテリ駆動であることにより、可搬性を有するものとなっている。
【００８１】
個人識別カードリーダ１０１４は、個人識別カード読み取り部１０２として機能し、個人識別カードを読み取って個人識別番号を取得する。個人識別カードリーダ１０１４は、機械読み取り式個人識別カードの場合に個人識別カードの券面の読み取り部分を読み取って個人識別番号を取得するＯＣＲ部を有している。また、個人識別カードリーダ１０１４は、ＩＣ個人識別カードの場合にＩＣチップに記録された個人識別番号及び事前登録生体情報を非接触で取得する非接触ＩＣリーダ部を有している。
【００８２】
指紋スキャナ１０１６は、指紋画像取得部１０４として機能し、入場者Ｖの指紋を読み取って指紋画像を取得する。指紋の読み取り方式は、例えば、静電容量式、光学式等である。
【００８３】
カメラ１０１８は、顔画像取得部１０６として機能し、入場者Ｖの顔を撮影して顔画像を取得する。
【００８４】
情報取得カート１０には、指紋スキャナ１０１６及びカメラ１０１８のほか、各種の生体情報取得部として機能する近赤外線カメラ、可視光カメラ等のデバイスを含むハードウェア構成を有することができる。
【００８５】
ディスプレイ１０２０は、案内係Ｃに対して操作画面を表示する第１の表示部１０８として機能する。また、ディスプレイ１０２２は、入場者Ｖに対して案内画面を表示する第２の表示部１１０として機能する。ディスプレイ１０２０は、例えば、タッチパネル式のものであり、案内係Ｃが指示入力を入力する入力装置としての機能を有している。
【００８６】
入力装置１０２４は、例えば、上述のように、ディスプレイ１０２０に組み込まれたタッチパネルである。また、入力装置１０２４は、キーボード、マウス等であってもよい。案内係Ｃは、入力装置１０２４を介して、情報取得カート１０の設定を行ったり、処理の実行の指示を入力したりすることができる。
【００８７】
図５は、上述した情報取得カート１０の外観の一例を示している。
【００８８】
情報取得カート１０は、図５に示すように、筐体１０２８を有している。筐体１０２８の底部には、例えば４輪のキャスター車輪１０３２が設けられている。これにより、案内係Ｃは、情報取得カート１０を押したり引いたりすることにより、情報取得カート１０を移動することが可能になっている。また、筐体１０２８内には、バッテリ１０１２が収納されている。
【００８９】
筐体１０２８上部には、ディスプレイ１０２０が設けられている。また、筐体１０２８の上部には、ディスプレイ１０２０の背面側を向くようにディスプレイ１０２２が設けられている。
【００９０】
筐体１０２８のディスプレイ１０２０、１０２２の側方の部分には、個人識別カードリーダ１０１４が設けられている。また、筐体１０２８の上部のディスプレイ１０２２の手前側部分には、指紋スキャナ１０１６が設けられている。また、ディスプレイ１０２２の上部には、カメラ１０１８が設けられている。
【００９１】
なお、情報取得カート１０のハードウェア構成は、上述した構成に限定されるものではなく、種々の構成とすることができる。
【００９２】
また、上述したサーバ２０は、例えばコンピュータ装置により構成される。サーバ２０のハードウェア構成の一例について図６を用いて説明する。図６は、本実施形態によるサーバ２０のハードウェア構成の一例を示すブロック図である。なお、サーバ２０は、単一の装置により構成されていてもよいし、有線又は無線で接続された２つ以上の物理的に分離された装置により構成されていてもよい。
【００９３】
サーバ２０は、図６に示すように、ＣＰＵ２００２と、ＲＯＭ２００４と、ＲＡＭ２００６と、ＨＤＤ２００８と、通信Ｉ／Ｆ２０１０とを有している。ＣＰＵ２００２、ＲＯＭ２００４、ＲＡＭ２００６、ＨＤＤ２００８、及び通信Ｉ／Ｆ２０１０は、バスライン２０１２に接続されている。
【００９４】
ＣＰＵ２００２は、サーバ２０の全体の動作を制御する。また、ＣＰＵ２００２は、制御部２０２における人物情報管理部２１２、照合処理部２１４及び照合情報管理部２１６の機能を実現するプログラムを実行する。ＣＰＵ２００２は、ＨＤＤ２００８等に記憶されたプログラムをＲＡＭ２００６にロードして実行することにより、制御部２０２の機能を実現する。
【００９５】
ＲＯＭ２００４は、ブートプログラム等のプログラムが記憶されている。ＲＡＭ２００６は、ＣＰＵ２００２がプログラムを実行する際のワーキングエリアとして使用される。また、ＨＤＤ２００８には、ＣＰＵ２００２が実行するプログラムが記憶されている。
【００９６】
また、ＨＤＤ２００８は、第１の記憶部２０４、第２の記憶部２０６及び第３の記憶部２０８の機能を実現する記憶装置である。なお、これら第１乃至第３の記憶部２０４、２０６、２０８の機能を実現する記憶装置は、ＨＤＤ２００８に限定されるものではない。種々の記憶装置を第１乃至第３の記憶部２０４、２０６、２０８の機能を実現するものとして用いることができる。第１乃至第３の記憶部２０４、２０６、２０８の機能を実現する記憶装置は、単一の記憶装置であってもよいし、複数の記憶装置であってもよい。
【００９７】
通信Ｉ／Ｆ２０１０は、ネットワーク４０に接続されている。通信Ｉ／Ｆ２０１０は、ネットワーク４０に接続された情報取得カート１０及びブース端末３０との間のデータの通信を制御する。
【００９８】
なお、サーバ２０のハードウェア構成は、上述した構成に限定されるものではなく、種々の構成とすることができる。
【００９９】
また、上述したブース端末３０は、例えばコンピュータ装置により構成される。ブース端末３０のハードウェア構成の一例について図７を用いて説明する。図７は、本実施形態によるブース端末３０のハードウェア構成の一例を示すブロック図である。
【０１００】
ブース端末３０は、図６に示すように、ＣＰＵ３００２と、ＲＯＭ３００４と、ＲＡＭ３００６と、ＨＤＤ３００８と、通信Ｉ／Ｆ３０１０とを有している。また、ブース端末３０は、個人識別カードリーダ３０１２と、ディスプレイ３０１４と、入力装置３０１６とを有している。ＣＰＵ３００２、ＲＯＭ３００４、ＲＡＭ３００６、ＨＤＤ３００８、及び通信Ｉ／Ｆ３０１０、個人識別カードリーダ３０１２、ディスプレイ３０１４、及び入力装置３０１６は、バスライン３０１８に接続されている。
【０１０１】
ＣＰＵ３００２は、ブース端末３０の全体の動作を制御する。また、ＣＰＵ３００２は、制御部３０４における情報取得部３１０及び表示制御部３１２の機能を実現するプログラムを実行する。ＣＰＵ３００２は、ＨＤＤ３００８等に記憶されたプログラムをＲＡＭ３００６にロードして実行することにより、制御部３０４の機能を実現する。
【０１０２】
ＲＯＭ３００４は、ブートプログラム等のプログラムが記憶されている。ＲＡＭ３００６は、ＣＰＵ３００２がプログラムを実行する際のワーキングエリアとして使用される。また、ＨＤＤ３００８には、ＣＰＵ３００２が実行するプログラムが記憶されている。
【０１０３】
通信Ｉ／Ｆ３０１０は、ネットワーク４０に接続されている。通信Ｉ／Ｆ３０１０は、ネットワーク４０に接続されたサーバ２０との間のデータの通信を制御する。
【０１０４】
個人識別カードリーダ３０１２は、個人識別カード読み取り部３０２として機能し、個人識別カードを読み取って個人識別番号を取得する。個人識別カードリーダ３０１２は、機械読み取り式個人識別カードの場合に個人識別カードの券面の読み取り部分を読み取って個人識別番号を取得するＯＣＲ部を有している。また、個人識別カードリーダ３０１２は、ＩＣ個人識別カードの場合にＩＣチップに記録された個人識別番号を非接触で取得する非接触ＩＣリーダ部を有している。
【０１０５】
ディスプレイ３０１４は、審査官Ｅに対して人物情報、照合情報その他の情報を表示する表示部３０６として機能する。
【０１０６】
入力装置３０１６は、例えば、キーボード、マウス等である。また、入力装置３０１６は、ディスプレイ３０１４に組み込まれたタッチパネルであってもよい。審査官Ｅは、入力装置３０１６を介して、ブース端末３０の設定を行ったり、処理の実行の指示を入力したりすることができる。
【０１０７】
なお、ブース端末３０のハードウェア構成は、上述した構成に限定されるものではなく、種々の構成とすることができる。
【０１０８】
本実施形態による情報取得システム１は、審査ブースＢでの審査官Ｅによる審査を待っている入場者Ｖから、情報取得カート１０により指紋画像、顔画像等の生体情報を取得する。情報取得カート１０により取得された生体情報は、審査ブースＢでの審査官Ｅによる審査のために利用される。
【０１０９】
このため、本実施形態によれば、審査を待っている入場者Ｖが審査ブースＢに進んだ時点で、その入場者Ｖについて生体情報が取得されている。このため、審査ブースＢで審査官Ｅが入場者Ｖの生体情報を取得する必要がないため、審査の待ち時間を短縮することができる。こうして、本実施形態によれば、審査における生体情報の取得の円滑化を実現することができる。
【０１１０】
次に、上記本実施形態による情報取得システム１を用いた本実施形態による情報取得方法についてさらに図８乃至図１３を用いて説明する。
【０１１１】
まず、本実施形態による情報取得方法の全体のフローについて図８を用いて説明する。図８は、本実施形態による情報取得方法を示すシーケンス図である。
【０１１２】
情報取得カート１０は、審査場Ａにおける審査ブースＢに向かう進路Ｐ１を含む区域において、並んで審査を待つ入場者Ｖの位置に、操作者である案内係Ｃにより移動されて停止される。情報取得カート１０が停止された入場者Ｖの位置では、案内係Ｃにより情報取得カート１０が使用されて、その入場者Ｖについて人物情報の取得が行われる。
【０１１３】
まず、個人識別カード読み取り部１０２は、入場者Ｖが提示する個人識別カードを読み取って個人識別番号を取得する（ステップＳ１２）。この際、個人識別カードがＩＣ個人識別カードであってそのＩＣチップに事前登録生体情報が登録されている場合、個人識別カード読み取り部１０２は、個人識別カードを読み取って事前登録生体情報を取得する。
【０１１４】
次いで、情報取得カート１０の生体情報取得部は、その入場者Ｖの生体情報を取得する。具体的には、指紋画像取得部１０４は、その入場者Ｖの指紋画像を取得する（ステップＳ１４）。続いて、顔画像取得部１０６は、その入場者Ｖの顔画像を取得する（ステップＳ１６）。
【０１１５】
なお、情報取得カート１０において生体情報を取得する順序は、上述した指紋画像、顔画像の順序に限定されるものではなく、あらゆる順序で生体情報を取得することができる。情報取得カート１０により取得する生体情報の種類も、上述した指紋画像及び顔画像に限定されるものではない。
【０１１６】
例えば、上述した場合とは逆に、顔画像取得部１０６により入場者Ｖの顔画像を取得し、次いで、指紋画像取得部１０４により入場者Ｖの指紋画像を取得することができる。また、指紋画像取得部１０４により入場者Ｖの指紋画像を取得すると同時に又は並行して、顔画像取得部１０６により入場者Ｖの顔画像を取得することもできる。
【０１１７】
また、例えば、生体情報として顔画像及び虹彩画像を取得する場合、顔画像取得部１０６により入場者Ｖの顔画像を取得し、続いて、虹彩画像取得部により入場者Ｖの虹彩画像を取得することができる。また、虹彩画像取得部により入場者Ｖの虹彩画像を取得し、続いて、顔画像取得部１０６により入場者Ｖの顔画像を取得することもできる。さらに、顔画像取得部１０６により入場者Ｖの顔画像を取得すると同時に又は並行して、虹彩画像取得部により入場者Ｖの虹彩画像を取得することもできる。
【０１１８】
また、生体情報として、指紋画像及び指の静脈画像を取得する場合、指紋画像取得部１０４により入場者Ｖの指紋画像を取得し、続いて、指静脈画像取得部により入場者Ｖの指の静脈画像を取得することができる。また、指静脈画像取得部により入場者Ｖの指の静脈画像を取得し、続いて、指紋画像取得部１０４により入場者Ｖの指紋画像を取得することもできる。さらに、指紋画像取得部１０４により入場者Ｖの指紋画像を取得すると同時に又は並行して、指静脈画像取得部により入場者Ｖの同一の指の静脈画像を取得することもできる。
【０１１９】
また、生体情報として、掌紋画像及び手のひらの静脈画像を取得する場合、掌紋画像取得部により入場者Ｖの掌紋画像を取得し、続いて、掌静脈画像取得部により入場者Ｖの手のひらの静脈画像を取得することができる。また、掌静脈画像取得部により入場者Ｖの手のひらの静脈画像を取得し、続いて、掌紋画像取得部により入場者Ｖの掌紋画像を取得することもできる。さらに、掌紋画像取得部により入場者Ｖの掌紋画像を取得すると同時に又は並行して、掌静脈画像取得部により入場者Ｖの同一の手のひらの静脈画像を取得することもできる。
【０１２０】
次いで、人物情報管理部１２０は、取得した個人識別番号、事前登録生体情報、カート取得生体情報を含む人物情報をサーバ２０に送信する（ステップＳ１８）。
【０１２１】
情報取得カート１０では、審査を待つ入場者Ｖのそれぞれについて上記ステップＳ１２〜Ｓ１８が繰り返し行われる。
【０１２２】
サーバ２０では、情報取得カート１０から人物情報が送信されると、人物情報管理部２１２が、送信された人物情報を、第１の記憶部２０４の人物情報ＤＢに登録する（ステップＳ２０）。
【０１２３】
次いで、照合処理部２１４は、人物情報ＤＢに登録された人物情報に含まれるカート取得生体情報と、第２の記憶部２０６の生体情報ＢＬ又は生体情報ＷＬに登録された同種の生体情報とを照合する。また、照合処理部２１４は、人物情報ＤＢに登録された人物情報に含まれるカート取得生体情報と、同種の事前登録生体情報とを照合する（ステップＳ２２）。
【０１２４】
続いて、照合処理部２１４は、照合結果を示す照合情報を第３の記憶部２０８の照合情報ＤＢに登録する（ステップＳ２４）。
【０１２５】
サーバ２０では、情報取得カート１０から人物情報が送信されるたびに、上記ステップＳ２０〜Ｓ２４が繰り返される。
【０１２６】
進路Ｐ１に並んで審査を待つ入場者Ｖは、情報取得カート１０が配置された進路Ｐ１を含む区域を通過して審査ブースＢに進む。ブース端末３０では、個人識別カード読み取り部３０２が、審査ブースＢに進んだ入場者Ｖが提示した個人識別カードから個人識別カードを読み取って個人識別番号を取得する（ステップＳ３２）。
【０１２７】
次いで、情報取得部３１０は、個人識別カード読み取り部３０２により取得された個人識別番号に基づき、その入場者Ｖについて情報取得カート１０の使用の有無を問い合わせる（ステップＳ３４）。続いて、情報取得部３１０は、情報取得カート１０が使用されていれば、その入場者Ｖについての人物情報及び照合情報をサーバ２０から取得する（ステップＳ３６）。情報取得カート１０が使用されていなければ、通常の審査が行われる。
【０１２８】
次いで、表示制御部３１２は、情報取得部３１０により取得された人物情報及び照合情報を表示部３０６に表示する（ステップＳ３８）。審査官Ｅは、表示部３０６に表示された生体情報及び照合情報を審査に利用する。
【０１２９】
ブース端末３０では、審査ブースＢに入場者Ｖが進むたびに、上記ステップＳ３２〜Ｓ３８が繰り返される。
【０１３０】
次に、本実施形態による情報取得方法における情報取得カート１０、サーバ２０及びブース端末３０での処理の詳細についてそれぞれ説明する。
【０１３１】
まず、情報取得カート１０での処理の詳細について図９乃至図１１を用いて説明する。図９は、本実施形態による情報取得方法における情報取得カート１０での処理を示すフローチャートである。図１０は、本実施形態による情報取得方法における情報取得カート１０での処理のうちの顔画像の取得を示すフローチャートである。図１１は、本実施形態による情報取得カート１０の顔画像の取得画面の例を示す概略図である。
【０１３２】
まず、個人識別カード読み取り部１０２は、審査を待つ入場者Ｖが提示する個人識別カードを読み取って個人識別番号を取得する（ステップＳ１０２）。この際、個人識別カードがＩＣ個人識別カードであってそのＩＣチップに事前登録生体情報が記録されている場合には、個人識別カード読み取り部１０２は、個人識別カードから個人識別番号とともに事前登録生体情報を取得する。
【０１３３】
次いで、取得制御部１１６は、個人識別カード読み取り部１０２による個人識別カードの読み取りが成功したか否かを判定する（ステップＳ１０４）。取得制御部１１６は、個人識別カードが汚損されて読み取れない場合、個人識別カードが非機械読み取り式で読み取れない場合、個人識別カードが変造又は偽造されている場合等に、個人識別カードの読み取りに成功しなかったと判定する。
【０１３４】
個人識別カードの読み取りに成功しなかったと判定された場合（ステップＳ１０４、ＮＯ）、表示制御部１１８は、個人識別カードの読み取りに失敗した旨を示す画面を第１の表示部１０８に表示する。これにより、案内係Ｃに対して、その入場者Ｖを審査ブースＢに案内するように指示する（ステップＳ１０６）。
【０１３５】
一方、個人識別カードの読み取りに成功したと判定された場合（ステップＳ１０４、ＹＥＳ）、取得制御部１１６は、その入場者Ｖについて指紋情報、顔画像等の生体情報が生体情報取得部により未取得であるか否かを判定する（ステップＳ１０８）。取得制御部１１６は、記憶部１２２に一時的に記録された人物情報、又はサーバ２０における人物情報ＤＢに登録された人物情報を参照して、所定の時間内にその入場者Ｖについて取得された人物情報がない場合に、生体情報が未取得であると判定する。一方、人物情報がある場合には、取得制御部１１６は、生体情報が未取得でない、すなわち生体情報が取得済みであると判定する。例えば、情報取得カート１０で既に生体情報が取得された入場者Ｖが、審査を待つ入場者の列に並び直して情報取得カート１０による処理を受けた場合には、生体情報が取得済みであると判定されることになる。
【０１３６】
生体情報が未取得でないと判定された場合（ステップＳ１０８、ＮＯ）、表示制御部１１８は、生体情報取得部により生体情報が取得済みである旨を示す画面を第１の表示部１０８に表示する。これにより、案内係Ｃに対して、その入場者Ｖを審査ブースＢに案内するように指示する（ステップＳ１０６）。
【０１３７】
一方、生体情報が未取得であると判定された場合（ステップＳ１０８、ＹＥＳ）、表示制御部１１８は、生体情報取得部により生体情報が未取得である旨を示す画面とともに、個人識別番号を表示する確認画面を第１の表示部１０８に表示する。これにより、案内係Ｃは、個人識別カードの読み取り結果の確認を行う（ステップＳ１１０）。
【０１３８】
こうして、表示制御部１１８は、個人識別カード読み取り部１０２による個人識別カードの読み取りが成功して個人識別番号が読み取られると、その個人識別番号の読み取り以前の所定の時間内に生体情報が取得済みであるか否かを第１の表示部１０８に表示する。
【０１３９】
次いで、情報取得カート１０において指紋画像、顔画像等の生体情報が取得される。例えば、指紋画像及び顔画像は、それぞれ以下のようにして取得される。
【０１４０】
まず、指紋画像取得部１０４は、その入場者Ｖの指紋画像を取得する（ステップＳ１１２）。指紋画像取得部１０４は、例えば、２台の指紋スキャナにより構成され、それぞれの読み取り面に腹を向けて置かれた両手人差し指の２指の指紋を読み取って、それぞれの指紋画像を取得する。指紋スキャナは、例えば、読み取り面に指が腹を置かれると、自動的に指紋を読み取って指紋画像を取得するように構成することができる。
【０１４１】
また、取得制御部１１６は、指紋画像取得部１０４により取得された指紋画像の品質を評価して、その品質の指標となる指紋画像の品質値を算出する。指紋画像の品質値は、例えば、その指紋画像の品質がより高いほど、より高い値となる。
【０１４２】
次いで、表示制御部１１８は、指紋画像取得部１０４により取得された指紋画像を第１の表示部１０８に表示する。また、表示制御部１１８は、取得制御部１１６により算出された指紋画像の品質値をその指紋画像とともに第１の表示部１０８に表示する。これにより、案内係Ｃは、取得された指紋画像の確認を行う（ステップＳ１１４）。
【０１４３】
案内係Ｃは、第１の表示部１０８に表示された指紋画像及びその品質値に基づき、指紋画像の再取得が必要か否かを判定する（ステップＳ１１６）。案内係Ｃは、例えば、指紋画像の品質値が所定の基準値以上である場合に、再取得が必要でないと判定することができる。
【０１４４】
指紋画像の再取得が必要であると判定すると（ステップＳ１１６、ＹＥＳ）、案内係Ｃは、情報取得カート１０に対して指紋画像の再取得の指示を入力する。これにより、ステップＳ１１２に移行して、指紋画像の再取得を実行する。
【０１４５】
一方、指紋画像の再取得が必要でないと判定すると（ステップＳ１１６、ＮＯ）、案内係Ｃは、情報取得カート１０に対して顔画像の取得への移行の指示を入力する。
【０１４６】
顔画像の取得への移行の指示が入力されると、顔画像取得部１０６は、その入場者Ｖの顔を撮影して顔画像を取得する（ステップＳ１１８）。
【０１４７】
顔画像の取得では、顔画像取得部１０６が、入場者Ｖの顔を継続的に撮影して、その入場者Ｖのライブの顔画像を継続的に取得する（ステップＳ１１８２）。継続的に取得されるライブの顔画像は、表示制御部１１８により第１の表示部１０８に表示される。
【０１４８】
図１１は、第１の表示部１０８に表示される顔画像取得画面１０８０の一例を示している。顔画像取得画面１０８０は、ライブの顔画像が表示される顔画像表示領域１０８２と、顔画像表示領域１０８２に表示されるライブの顔画像の品質を色で示す品質表示領域１０８４とを有している。また、顔画像取得画面１０８０は、顔の撮影を指示するための撮影ボタン１０８６と、顔画像の取得を取り消す取消しボタン１０８８とを有している。
【０１４９】
取得制御部１１６は、顔画像取得部１０６により取得されるライブの顔画像の品質を評価して、その品質の指標となる顔画像の品質値を算出する（ステップＳ１１８４）。顔画像の品質値は、例えば、その顔画像の品質がより高いほど、より高い値となる。顔画像の品質は、例えば、画像サイズ、縦横比、顔の数、目の間の距離、目の幅、カラープロファイル、頭の幅、頭の長さ、輝度、コントラスト等の指標で分析することにより数値化することができる。
【０１５０】
次いで、取得制御部１１６は、算出した顔画像の品質値が所定の基準値以上であるか否かを判定する（ステップＳ１１８６）。
【０１５１】
算出された顔画像の品質値が所定の基準値以上でないと判定された場合（ステップＳ１１８６、ＮＯ）、ステップＳ１１８２に戻ってライブの顔画像の取得を継続する。この場合、顔画像取得画面１０８０の品質表示領域１０８４は、品質値が所定の基準値未満であることを示す例えば黄色で表示され、撮影ボタン１０８６が押すことができずに撮影ができない状態になっている。案内係Ｃは、顔画像を取得すべき入場者Ｖに対して、位置、向き又は姿勢の変更等を指示することにより、ライブの顔画像の品質値が所定の基準値以上になるように調整することができる。
【０１５２】
一方、算出された顔画像の品質値が所定の基準値以上であると判定された場合（ステップＳ１１８６、ＹＥＳ）、案内係Ｃは、撮影の指示を入力する。これにより、顔画像取得部１０６が入場者Ｖの顔を撮影する（ステップＳ１１８８）。この場合、顔画像取得画面１０８０の品質表示領域１０８４は、品質値が所定の基準値以上であることを示す例えば緑色で表示され、撮影ボタン１０８６が押すこと可能になる。これにより、案内係Ｃは、撮影ボタン１０８６を押して撮影を実行することができる。
【０１５３】
表示制御部１１８は、上記のように取得された顔画像を第１の表示部１０８に表示する。これにより、案内係Ｃは、取得された顔画像の確認を行う（ステップＳ１２０）。
【０１５４】
案内係Ｃは、第１の表示部１０８に表示された顔画像に基づき、顔画像の再取得が必要か否かを判定する（ステップＳ１２２）。
【０１５５】
顔画像の再取得が必要であると判定すると（ステップＳ１２２、ＹＥＳ）、案内係Ｃは、情報取得カート１０に対して顔画像の再取得の指示を入力する。これにより、ステップＳ１１８に移行して、顔画像の再取得を実行する。
【０１５６】
一方、顔画像の再取得が必要でないと判定すると（ステップＳ１２２、ＮＯ）、案内係Ｃは、情報取得カート１０による生体情報の取得を終了する。
【０１５７】
なお、情報取得カート１０により取得する生体情報の種類、数及び取得の順序は、上記指紋画像及び顔画像を取得する場合に限定されるものでないことは、既に説明したとおりである。
【０１５８】
生体情報の取得が終了すると、人物情報管理部１２０は、上記のようにして取得された個人識別番号、事前登録生体情報及びカート取得生体情報を含む人物情報を通信部１１４を介してサーバ２０に送信する（ステップＳ１２４）。
【０１５９】
情報取得カート１０では、上記図９及び図１０に示す処理が、審査を待つ入場者Ｖのそれぞれについて実行される。
【０１６０】
次に、サーバ２０での処理の詳細について図１２を用いて説明する。図１２は、本実施形態による情報取得方法におけるサーバ２０での処理を示すフローチャートである。
【０１６１】
人物情報管理部２１２は、情報取得カート１０から送信される人物情報を受信する（ステップＳ２０２）。続いて、人物情報管理部２１２は、受信した人物情報を第１の記憶部２０４の人物情報ＤＢに登録する（ステップＳ２０４）。
【０１６２】
次いで、照合処理部２１４は、人物情報ＤＢに登録された人物情報に含まれるカート取得生体情報と、第２の記憶部２０６の生体情報ＢＬ又は生体情報ＷＬに登録された同種の生体情報とを照合する（ステップＳ２０６）。具体的には、照合処理部２１４は、人物情報ＤＢに登録された人物情報に含まれる指紋画像取得部１０４により取得された指紋画像と、生体情報ＢＬ又は生体情報ＷＬに登録された指紋画像とを照合する。また、照合処理部２１４は、人物情報ＤＢに登録された人物情報に含まれる顔画像取得部１０６により取得された顔画像と、生体情報ＢＬ又は生体情報ＷＬに登録された顔画像とを照合する。
【０１６３】
また、照合処理部２１４は、人物情報ＤＢに登録された人物情報に含まれる生体情報取得部により取得されたカート取得生体情報と、ＩＣ個人識別カードから取得した事前登録生体情報とを照合する（ステップＳ２０６）。具体的には、照合処理部２１４は、人物情報ＤＢに登録された人物情報に含まれる指紋画像取得部１０４により取得された指紋画像と、ＩＣ個人識別カードから取得した指紋画像とを照合する。また、照合処理部２１４は、人物情報ＤＢに登録された人物情報に含まれる顔画像取得部１０６により取得された顔画像と、ＩＣ個人識別カードから取得した顔画像とを照合する。これにより、照合処理部２１４は、ＩＣ個人識別カードを所持する入場者ＶとそのＩＣ個人識別カードの申請人とが同一人物であるか否かの本人確認を行う。
【０１６４】
さらに、照合処理部２１４は、上記の照合結果を示す照合情報を第３の記憶部２０８の照合情報ＤＢに登録する（ステップＳ２０８）。生体情報ＢＬとの照合結果を示す照合情報は、照合を行った人物情報の入場者Ｖが、生体情報ＢＬに登録された要注意人物であるか否かを示すものである。生体情報ＷＬとの照合結果を示す照合情報は、照合を行った人物情報の入場者Ｖが、生体情報ＷＬに登録された入場を許可すべき人物であるか否かを示すものである。ＩＣ個人識別カードから取得した指紋画像、顔画像等の事前登録生体情報との照合結果を示す照合情報は、そのＩＣ個人識別カードを所持する入場者ＶとそのＩＣ個人識別カードの申請人とが同一人物であるか否かの上記本人確認の結果を示すものである。照合処理部２１４は、照合を行った生体情報を含む人物情報と関連付けて照合情報を照合情報ＤＢに登録する。
【０１６５】
サーバ２０では、上記図１２に示す処理が、情報取得カート１０から人物情報が送信されるたびに実行される。
【０１６６】
次に、ブース端末３０での処理の詳細について図１３を用いて説明する。図１３は、本実施形態による情報取得方法におけるブース端末３０での処理を示すフローチャートである。
【０１６７】
まず、個人識別カード読み取り部３０２は、審査ブースＢに進んだ入場者Ｖが提示した個人識別カードから個人識別番号を読み取って個人識別番号を取得する（ステップＳ３０２）。
【０１６８】
次いで、情報取得部３１０は、個人識別カード読み取り部３０２により取得された個人識別番号に基づき、その個人識別番号の入場者Ｖについて情報取得カート１０の使用の有無を通信部３０８を介してサーバ２０に問い合わせる（ステップＳ３０４）。
【０１６９】
情報取得部３１０からの問い合わせを受けて、サーバ２０の人物情報管理部２１２は、サーバ２０の人物情報ＤＢを参照する。これにより、人物情報管理部２１２は、個人識別カード読み取り部３０２による個人識別番号の取得からそれ以前の所定の時間内に取得された、その個人識別番号を含む人物情報が人物情報ＤＢに登録されているか否かを確認する。登録されている場合、サーバ２０の人物情報管理部２１２は、情報取得カート１０の使用がある旨を情報取得部３１０に回答する。
【０１７０】
人物情報ＤＢに登録されているか否かを確認する、個人識別カード読み取り部３０２による個人識別番号の取得からのそれ以前の所定の時間は、例えば、審査場Ａに来た入場者Ｖが審査ブースＢに到達するのに必要十分な時間に設定することができる。この所定の時間は、審査場Ａの規模、審査場Ａにおける入場者Ｖの行列の長さ等に応じて、例えば、３０分、１時間等と適宜設定することができる。これにより、例えば、前日、１週間前等の古い時期に取得された人物情報及びその照合情報の再利用を防止することができ、審査の精度を向上することができる。
【０１７１】
情報取得カート１０の使用がない場合（ステップＳ３０６、ＮＯ）、その入場者Ｖについては、通常の審査が行われる（ステップＳ３０８）。通常の審査では、審査ブースＢにおいて、その入場者Ｖについて指紋画像、顔画像等の生体情報が取得される。
【０１７２】
一方、情報取得カート１０の使用がある場合（ステップＳ３０６、ＹＥＳ）、情報取得部３１０は、サーバ２０から人物情報及び照合情報を取得する（ステップＳ３１０）。すなわち、サーバ２０の通信部２１０は、人物情報及び照合情報をブース端末３０に送信する。情報取得部３１０は、個人識別カード読み取り部３０２により取得された個人識別番号に基づき、その個人識別番号を含む直近の人物情報及びその照合情報をサーバ２０から通信部３０８を介して取得する。すなわち、サーバ２０の通信部２１０は、個人識別カード読み取り部３０２により取得された個人識別番号に関連付けられた人物情報及び照合情報をブース端末３０に送信する。情報取得部３１０が取得する人物情報は、個人識別カード読み取り部３０２により取得された個人識別番号に関連付けられた直近の生体情報を含んでいる。また、情報取得部３１０が取得する照合情報は、個人識別カード読み取り部３０２により取得された個人識別番号に関連付けられたものである。
【０１７３】
なお、サーバ２０の照合情報管理部２１６は、所定の保存期間の経過後に照合情報を第３の記憶部２０８から削除することができる。照合情報の保存期間を、例えば、生体情報取得部により取得して照合を行った生体情報の取得から、入場者Ｖが審査ブースＢに到達するまでに必要十分な時間が経過するまでの期間に設定することができる。この保存時間は、審査場Ａの規模、審査場Ａにおける入場者Ｖの行列の長さ等に応じて、例えば、３０分、１時間等と適宜設定することができる。これにより、例えば、前日、１週間前等の古い時期に照合が行われた照合情報の再利用を防止することができ、審査の精度を向上することができる。
【０１７４】
次いで、表示制御部３１２は、審査官Ｅによる操作に応じて、情報取得部３１０により取得された人物情報を表示部３０６に表示する（ステップＳ３１２）。表示される人物情報には、指紋画像、顔画像等の生体情報が含まれる。また、表示制御部３１２は、照合情報を表示部３０６に表示する（ステップＳ３１４）。
【０１７５】
次いで、審査官Ｅは、審査ブースＢに進んだ入場者Ｖについて、表示部３０６に表示された生体情報及び照合結果を考慮して審査を行い、入場の可否を判定する（ステップＳ３１６）。
【０１７６】
こうして、審査ブースＢにおける審査において、情報取得カート１０により取得された生体情報が利用される。
【０１７７】
このように、本実施形態によれば、審査ブースＢにおける審査前に、審査を受けるべき入場者Ｖについて情報取得カート１０による生体情報の取得が行われているので、審査における生体情報の取得の円滑化を実現することができる。
【０１７８】
［第２実施形態］
本発明の第２実施形態による情報取得システム及び情報取得方法について図１４を用いて説明する。図１４は、本実施形態による情報取得システムの機能構成を示すブロック図である。なお、上記第１実施形態による情報取得システム及び情報取得方法と同様の構成要素については同一の符号を付し説明を省略し又は簡略にする。
【０１７９】
本実施形態による情報取得システムの基本的構成は、第１実施形態による情報取得システムの構成とほぼ同様である。本実施形態による情報取得システムは、サーバ２０において、制御部２０２が、照合処理部２１４による照合結果に応じて警告を報知する報知処理部２１８をさらに有する点で、第１実施形態による情報取得システム１とは異なっている。
【０１８０】
図１４に示すように、本実施形態による情報取得システム２において、サーバ２０の制御部２０２は、第１実施形態の構成に加えて、照合処理部２１４による照合結果に応じて警告を報知する報知処理部２１８を有している。
【０１８１】
ネットワーク４０には、監視端末５０がネットワーク接続されている。監視端末５０は、ネットワーク４０を介してサーバ２０と通信可能になっている。監視端末５０は、例えば審査場Ａを警備する警備員等の監視者の所在場所に設置されている。
【０１８２】
報知処理部２１８は、照合処理部２１４による照合結果が警告を報知すべきものである場合に、ネットワークに接続された監視端末５０に通信部２１０を介して警告を報知する。照合結果が警告を報知すべきものである場合としては、次の場合が例示される。すなわち、照合処理部２１４による照合結果が、入場者Ｖが生体情報ＢＬに登録された要注意人物であることを示す場合、ＩＣ個人識別カードを所持する入場者ＶとそのＩＣ個人識別カードの申請人とが同一人物でないことを示す場合等が例示される。このような警告を報知すべき場合に、報知処理部２１８は、監視端末５０にネットワーク４０を介して警告を報知する。また、報知処理部２１８は、警告とともにその原因となった照合結果の内容を監視端末５０に通信部２１０を介して通知する。
【０１８３】
報知処理部２１８により警告が報知された監視端末５０は、照合結果の内容とともに警告を音声、画面表示等により警備員等の監視者に報知する。監視端末５０により警告が報知された警備員等の監視者は、照合結果で要注意人物である又はＩＣ個人識別カードの申請人と同一人物でないとされた入場者Ｖに対する措置を実行し、又はその措置の準備を行うことができる。
【０１８４】
本実施形態のように、照合処理部２１４による照合結果に応じて、ネットワーク４０を介して監視端末５０に警告をサーバ２０から報知するようにしてもよい。
【０１８５】
［第３実施形態］
本発明の第３実施形態によるコンピュータ装置について図１５を用いて説明する。本実施形態では、上記第１及び第２実施形態による情報取得システムにおける各部の処理を実現するために用いられるコンピュータ装置について説明する。
【０１８６】
図１５は、上記第１及び第２実施形態による情報取得システムにおける各部の処理を実現するために用いられるコンピュータ装置の例を示している。図１５に示すコンピュータ装置５０００は、特に限定されるものではなく、様々な種類、形態のものであってよい。例えば、コンピュータ装置５０００は、ラップトップ型コンピュータ、デスクトップ型コンピュータ、ワークステーション、パーソナルデジタルアシスタント、サーバ、ブレードサーバ、メインフレーム、組み込みシステム等である。
【０１８７】
コンピュータ装置５０００は、プロセッサ５００２と、メモリ５００４と、記憶装置５００６とを有している。また、コンピュータ装置５０００は、高速インターフェースを含む高速コントローラ５００８、及び低速インターフェースを含む低速コントローラ５０１０を有している。高速コントローラ５００８には、メモリ５００４及び高速拡張ポート５０１２が接続されている。また、高速コントローラ５００８には、ディスプレイ５０１６等の外部入出力装置が接続されている。一方、低速コントローラ５０１０には、低速拡張ポート５０１４及び記憶装置５００６が接続されている。
【０１８８】
プロセッサ５００２、メモリ５００４、記憶装置５００６、高速コントローラ５００８、低速コントローラ５０１０、及び高速拡張ポート５０１２は、種々のバスにより相互に接続されている。また、プロセッサ５００２、メモリ５００４、記憶装置５００６、高速コントローラ５００８、低速コントローラ５０１０、及び高速拡張ポート５０１２は、共通のマザーボード上に実装することもできるし、また、他の形態で適宜実装することもできる。
【０１８９】
プロセッサ５００２は、例えばＣＰＵであり、コンピュータ装置５０００内で実行する命令を処理することができる。そのような命令には、ディスプレイ５０１６等の外部入出力装置上にＧＵＩ（Graphical  User  Interface）のグラフィック情報を表示するための、メモリ５００４内又は記憶装置５００６内に格納された命令が含まれる。
【０１９０】
また、複数のプロセッサ、複数のバス、又は複数のプロセッサ及び複数のバスを、複数のメモリ及び複数のタイプのメモリとともに適宜使用することができる。また、複数のコンピュータ装置５０００を、必要な処理の一部を行う各装置と接続することができる。例えば、複数のコンピュータ装置１０００を、サーババンク、ブレードサーバのグループ、又はマルチプロセッサシステムとして互いに接続することができる。
【０１９１】
メモリ５００４は、コンピュータ装置５０００内の情報を格納する。例えば、メモリ５００４は、揮発性メモリユニット、不揮発性メモリユニットである。メモリ５００４は、他のコンピュータ可読媒体であってもよく、例えば、磁気ディスク、光ディスク等であってもよい。
【０１９２】
記憶装置５００６は、コンピュータ装置５０００用のマスストレージを構成することができる。記憶装置５００６は、コンピュータ可読媒体であるか、又はそのようなコンピュータ可読媒体を含むことができる。コンピュータ可読媒体は、例えば、フロッピー（登録商標）ディスク装置、ハードディスク装置、光ディスク装置、テープ装置、フラッシュメモリその他のソリッドステートメモリ装置、ディスクアレイ等である。記憶装置５００６は、ストレージエリアネットワーク、他の構成の装置を含む。コンピュータプログラム製品は、情報担体において明確に具現化されうる。コンピュータプログラム製品は、実行されると上述のような１つ又は複数の処理を実行する命令も格納することができる。情報担体は、メモリ５００４、記憶装置５００６、プロセッサ５００２上のメモリ、又は伝搬信号等のコンピュータ可読媒体若しくは機械可読媒体である。
【０１９３】
高速コントローラ５００８は、コンピュータ装置５０００に対する帯域幅を集中的に使用する処理を管理する。一方、低速コントローラ５０１０は、帯域幅を集中的に使用する程度の低い処理を管理する。ただし、このような機能の割り振りは、例示的なものにすぎず、これに限定されるものではない。また、高速コントローラ５００８の一部又は全部は、プロセッサ５００２に内蔵されていてもよい。
【０１９４】
高速コントローラ５００８は、メモリ５００４、及び種々の拡張カードを受け入れることができる高速拡張ポート５０１２に接続されている。また、高速コントローラ５００８は、例えばグラフィックスプロセッサ又はアクセラレータを介して、ディスプレイ５０１６に接続されている。
【０１９５】
また、低速コントローラ５０１０は、記憶装置５００６及び低速拡張ポート５０１４に接続されている。低速拡張ポート５０１４は、例えば、ＵＳＢ（Universal  Serial  Bus）、Bluetooth（登録商標）、有線又は無線のイーサネット（登録商標）等の種々の規格の通信ポートを含むことができる。低速拡張ポート５０１４には、キーボード、ポインティングデバイス、スキャナ等の一又は複数の入出力装置を接続することができる。また、低速拡張ポート５０１４には、例えば、ネットワークアダプタを介して、スイッチ、ルータ等の一又は複数のネットワーク機器を接続することができる。
【０１９６】
コンピュータ装置５０００は、数多くの異なる形態で実施することができる。例えば、コンピュータ装置５０００は、標準的なサーバ、又はそのようなサーバのグループの形態の複数台で実施することができる。また、コンピュータ装置５０００は、ラックサーバシステムの一部としても実施することもできる。さらに、コンピュータ装置５０００は、ラップトップ型コンピュータ、デスクトップ型コンピュータ等のパーソナルコンピュータの形態で実施することができる。
【０１９７】
上述したコンピュータ装置５０００は、上記実施形態における情報取得カート１０の一部として機能することができる。この場合、コンピュータ装置５０００のプロセッサ５００２は、情報取得カート１０の制御部１１２の機能を実現するプログラムを実行することにより、制御部１１２として機能することができる。すなわち、プロセッサ５００２は、取得制御部１１６、表示制御部１１８及び人物情報管理部１２０の各部の機能を実現するプログラムを実行する。これにより、プロセッサ５００２は、取得制御部１１６、表示制御部１１８及び人物情報管理部１２０の各部として機能することができる。また、コンピュータ装置５０００の記憶装置５００６は、情報取得カート１０の記憶部１２２として機能することができる。
【０１９８】
また、コンピュータ装置５０００は、上記実施形態におけるサーバ２０として機能することができる。この場合、コンピュータ装置５０００のプロセッサ５００２は、サーバ２０の制御部２０２の機能を実現するプログラムを実行することにより、制御部２０２として機能することができる。すなわち、プロセッサ５００２は、人物情報管理部２１２、照合処理部２１４、照合情報管理部２１６、及び報知処理部２１８の各部の機能を実現するプログラムを実行する。これにより、プロセッサ５００２は、人物情報管理部２１２、照合処理部２１４、照合情報管理部２１６、及び報知処理部２１８の各部として機能することができる。また、コンピュータ装置５０００の記憶装置５００６は、サーバ２０の第１の記憶部２０４、第２の記憶部２０６及び第３の記憶部２０８として機能することができる。
【０１９９】
また、コンピュータ装置５０００は、上記実施形態におけるブース端末３０の一部として機能することができる。この場合、コンピュータ装置５０００のプロセッサ５００２は、ブース端末３０の制御部３０４の機能を実現するプログラムを実行することにより、制御部３０４として機能することができる。すなわち、プロセッサ５００２は、情報取得部３１０及び表示制御部３１２の各部の機能を実現するプログラムを実行する。これにより、プロセッサ５００２は、情報取得部３１０及び表示制御部３１２の各部として機能することができる。
【０２００】
なお、コンピュータ装置５０００のプロセッサ５００２に実行させるプログラムの一部又は全部は、これを記録したＤＶＤ−ＲＯＭ（Digital  Versatile  Disc-Read  Only  Memory）、ＣＤ−ＲＯＭ（Compact  Disc-Read  Only  Memory）、ＵＳＢメモリその他のフラッシュメモリ等のコンピュータ読み取り可能な記録媒体により提供することができる。
【０２０１】
［他の実施形態］
上記各実施形態において説明した情報取得システムは、他の実施形態によれば、図１６に示すように構成することもできる。図１６は、他の実施形態による情報取得システムの機能構成を示すブロック図である。
【０２０２】
図１６に示すように、他の実施形態による情報取得システム６００１は、情報取得装置６０１０と、サーバ６０２０と、情報端末６０３０とを含んでいる。情報取得装置６０１０は、例えばネットワーク６０４０を介してサーバ６０２０と通信可能である。情報端末６０３０は、例えばネットワーク６０４０を介してサーバ６０２０と通信可能である。
【０２０３】
情報取得装置６０１０は、第１の対象者が待機する第１の区域に配置される。情報取得装置６０１０は、第１の対象者が所持する媒体から識別情報を読み取って取得する第１の読み取り部６０１２と、第１の対象者から第１の対象者の生体情報を取得する生体情報取得部６０１４とを有している。また、情報取得装置６０１０は、互いに関連付けられた識別情報及び生体情報を含む人物情報をサーバ６０２０に送信する第１の情報管理部６０１６を有している。
【０２０４】
サーバ６０２０は、情報取得装置６０１０から送信された人物情報をデータベースに登録する第２の情報管理部６０２２を有している。
【０２０５】
また、サーバ６０２０は、通信部６０２４を有することができる。通信部６０２４は、情報端末６０３０から、第１の区域を通過した第２の対象者が所持する媒体から取得された識別情報に基づき第２の対象者についての情報取得装置６０１０の使用の有無の問い合わせを受ける。また、通信部６０２４は、情報取得装置６０１０の使用がある場合に、第２の対象者が所持する媒体から取得された識別情報に関連付けられた生体情報を情報端末６０３０に送信する。
【０２０６】
情報端末６０３０は、第１の区域とは異なる第２の区域に配置される。情報端末６０３０は、第１の区域を通過した第２の対象者が所持する媒体から識別情報を読み取って取得する第２の読み取り部６０３２を有している。また、情報端末６０３０は、第２の読み取り部６０３２により取得された識別情報に関連付けられた生体情報をサーバ６０２０から取得する情報取得部６０３４を有している。
【０２０７】
［変形実施形態］
本発明は、上記実施形態に限らず、種々の変形が可能である。
【０２０８】
例えば、上記実施形態では、生体情報として指紋画像及び顔画像を情報取得カート１０が取得する場合を例に説明したが、これに限定されるものではない。情報取得カート１０は、個人の身体的特徴又は行動的特徴を表す生体情報として、指紋、顔に関する情報のほか、虹彩、網膜、掌紋、血管、声紋等に関する情報を取得するように構成することができる。また、情報取得カート１０が取得する生体情報の種類及びその数は、特に限定されるものではない。情報取得カート１０は、１種類の生体情報を取得するものであってもよいし、複数種類の生体情報を任意の組み合わせで取得するものであってもよい。
【０２０９】
また、上記実施形態では、生体情報を取得する機能を有する情報取得装置としてカート形態の情報取得カート１０を用いる場合を例に説明したが、これに限定されるものではない。情報取得カート１０のようにカート形態のものにかぎらず、種々の形態の情報取得装置を用いることができる。
【０２１０】
また、上記実施形態では、情報取得カート１０を案内係Ｃが操作する場合を例に説明したが、これに限定されるものではない。例えば、情報取得カート１０は、案内画面、案内音声等による指示に従って入場者Ｖが自身で操作することにより、個人識別番号及び生体情報が取得されるように構成することができる。
【０２１１】
また、上記実施形態では、審査場Ａにおいて生体情報を取得して利用する場合を例に説明したが、これに限定されるものではない。本発明による情報取得システムは、生体情報を取得して利用するあらゆる場合に適用することができる。本発明による情報取得システムは、例えば、施設、会場等の入場ゲート等の入口において、入場者の生体情報を取得し、取得した生体情報を入場許否の判定において利用する場合に広く適用することができる。
【０２１２】
上記実施形態の一部又は全部は、以下の付記のようにも記載されうるが、以下には限られない。
【０２１３】
（付記１）
サーバと、前記サーバと通信可能な情報取得装置と、前記サーバと通信可能な情報端末とを含み、
前記情報取得装置は、第１の対象者が待機する第１の区域に配置され、
前記第１の対象者が所持する媒体から識別情報を読み取って取得する第１の読み取り部と、
前記第１の対象者から前記第１の対象者の生体情報を取得する生体情報取得部と、
互いに関連付けられた前記識別情報及び前記生体情報を含む人物情報を前記サーバに送信する第１の情報管理部とを有し、
前記サーバは、
前記情報取得装置から送信された前記人物情報をデータベースに登録する第２の情報管理部を有し、
前記情報端末は、前記第１の区域とは異なる第２の区域に配置され、
前記第１の区域を通過した前記第１の対象者が所持する媒体から識別情報を読み取って取得する第２の読み取り部と、
前記第２の読み取り部により取得された前記識別情報に関連付けられた前記生体情報を前記サーバから取得する情報取得部とを有する
ことを特徴とする情報取得システム。
【０２１４】
（付記２）
前記情報取得部は、前記第２の読み取り部により前記識別情報が読み取られた前記第１の対象者について前記情報取得装置の使用の有無を前記サーバに問い合わせ、前記情報取得装置の使用がある場合に、前記第２の読み取り部により取得された前記識別情報に関連付けられた前記生体情報を前記サーバから取得することを特徴とする付記１記載の情報取得システム。
【０２１５】
（付記３）
前記サーバは、前記情報取得装置から送信された前記人物情報に含まれる前記生体情報と、リストに登録された特定人物の生体情報とを照合する照合処理部とを有し、
前記情報取得部は、前記照合処理部による照合結果を示す照合情報を前記サーバから取得することを特徴とする付記１又は２に記載の情報取得システム。
【０２１６】
（付記４）
前記サーバは、前記照合処理部による照合結果に応じて、警告を報知する報知処理部を有することを特徴とする付記３記載の情報取得システム。
【０２１７】
（付記５）
前記生体情報取得部は、前記第１の対象者の生体画像を前記生体情報として取得することを特徴とする付記１乃至４のいずれかに記載の情報取得システム。
【０２１８】
（付記６）
前記情報取得装置は、前記生体画像の品質を評価して品質値を算出する品質評価部を有し、
前記生体情報取得部は、前記品質値が基準値以上の前記生体画像を取得することを特徴とする付記５記載の情報取得システム。
【０２１９】
（付記７）
前記生体画像は、前記第１の対象者の指紋画像及び顔画像の少なくとも一方であることを特徴とする付記５又は６に記載の情報取得システム。
【０２２０】
（付記８）
前記情報取得装置は、可搬性を有することを特徴とする付記１乃至７のいずれかに記載の情報取得システム。
【０２２１】
（付記９）
前記情報取得装置は、バッテリ駆動であることを特徴とする付記１乃至８のいずれかに記載の情報取得システム。
【０２２２】
（付記１０）
前記情報取得装置は、前記サーバと無線で通信可能であることを特徴とする付記１乃至９のいずれかに記載の情報取得システム。
【０２２３】
（付記１１）
サーバと、前記サーバと通信可能な情報端末とを含む情報取得システムに含まれ、第１の対象者が待機する第１の区域に配置され、前記サーバと通信可能な情報取得装置であって、
前記第１の対象者が所持する媒体から識別情報を読み取って取得する第１の読み取り部と、
前記第１の対象者から前記第１の対象者の生体情報を取得する生体情報取得部と、
互いに関連付けられた前記識別情報及び前記生体情報を含む人物情報を、前記第１の区域とは異なる第２の区域に配置され、前記第１の区域を通過した第２の対象者が所持する媒体から識別情報を読み取って取得する前記情報端末と通信可能な前記サーバに送信する第１の情報管理部と
を有することを特徴とする情報取得装置。
【０２２４】
（付記１２）
前記第１の読み取り部により前記識別情報が読み取られると、所定の時間内に前記生体情報が取得済みであるか否かを表示部に表示する表示制御部を有することを特徴とする付記１１記載の情報取得装置。
【０２２５】
（付記１３）
前記生体情報として取得された生体画像の品質を評価して品質値を算出する品質評価部を有し、
前記生体情報取得部は、前記品質値が基準値以上の前記生体画像を取得することを特徴とする付記１１記載の情報取得装置。
【０２２６】
（付記１４）
前記生体画像及び前記品質値を表示部に表示する表示制御部を有することを特徴とする付記１３記載の情報取得装置。
【０２２７】
（付記１５）
前記第１の対象者による前記生体情報が利用される施設の利用回数又は事前登録の有無に応じて、前記生体情報取得部により取得する前記生体情報を決定する取得制御部を有することを特徴とする付記１１乃至１４のいずれかに記載の情報取得装置。
【０２２８】
（付記１６）
前記取得制御部は、前記利用回数が多いほど又は前記事前登録がないよりも前記事前登録がある場合に、前記生体情報取得部により取得する前記生体情報の数を少なくすることを特徴とする付記１５記載の情報取得装置。
【０２２９】
（付記１７）
第１の区域に配置された情報取得装置と、前記第１の区域とは異なる第２の区域に配置された情報端末とを含む情報取得システムに含まれ、前記情報取得装置及び前記情報端末と通信可能なサーバであって、
前記情報取得装置から送信された、前記第１の区域に待機する第１の対象者が所持する媒体から取得された識別情報、及び前記第１の対象者から取得された生体情報を含む人物情報をデータベースに登録する第２の情報管理部と、
前記情報端末から、前記第１の区域を通過した第２の対象者が所持する媒体から取得された識別情報に基づき前記第２の対象者についての前記情報取得装置の使用の有無の問い合わせを受け、前記情報取得装置の使用がある場合に、前記第２の対象者が所持する前記媒体から取得された前記識別情報に関連付けられた前記生体情報を前記情報端末に送信する通信部と
を有することを特徴とするサーバ。
【０２３０】
（付記１８）
前記情報取得装置から送信された前記人物情報に含まれる前記生体情報と、リストに登録された特定人物の生体情報とを照合する照合処理部を有し、
前記通信部は、前記照合処理部による照合結果を示す照合情報を前記情報端末に送信することを特徴とする付記１７記載のサーバ。
【０２３１】
（付記１９）
前記人物情報は、前記第１の対象者が所持する前記媒体から取得された事前登録生体情報を含み、
前記照合処理部は、前記第１の対象者から取得された前記生体情報と前記事前登録生体情報とを照合することを特徴とする付記１８記載のサーバ。
【０２３２】
（付記２０）
前記第２の情報管理部は、前記第２の対象者が所持する前記媒体から取得された前記識別情報に基づき前記第２の対象者についての前記情報取得装置の使用の有無の問い合わせを受けると、前記第２の対象者が所持する前記媒体から取得された前記識別情報の取得から所定の時間内に取得された、前記第２の対象者が所持する前記媒体から取得された前記識別情報に関連付けられた前記人物情報が前記データベースに登録されているか否かを判定し、
前記通信部は、前記所定の時間内に取得された前記人物情報が登録されている場合、前記人物情報及び前記照合情報を前記情報端末に送信することを特徴とする付記１８又は１９に記載のサーバ。
【０２３３】
（付記２１）
サーバと、第１の区域に配置され、前記サーバと通信可能な情報取得装置とを含む情報取得システムに含まれ、前記第１の区域とは異なる第２の区域に配置され、前記サーバと通信可能な情報端末であって、
前記第１の区域を通過した第２の対象者が所持する媒体から識別情報を読み取って取得する第２の読み取り部と、
前記第２の読み取り部により取得された前記識別情報に関連付けられ、前記第１の区域に待機する第１の対象者から取得された前記第１の対象者の生体情報を前記サーバから取得する情報取得部と
を有することを特徴とする情報端末。
【０２３４】
（付記２２）
前記第２の読み取り部により前記識別情報が読み取られた前記第２の対象者について前記情報取得装置の使用の有無を前記サーバに問い合わせ、前記情報取得装置の使用がある場合に、前記第２の読み取り部により取得された前記識別情報に関連付けられた前記生体情報を前記サーバから取得することを特徴とする付記２１記載の情報端末。
【０２３５】
（付記２３）
サーバと、前記サーバと通信可能な情報取得装置と、前記サーバと通信可能な情報端末とを含む情報取得システムを用い、
前記情報取得装置が、第１の対象者が待機する第１の区域に配置され、
前記第１の対象者が所持する媒体から識別情報を読み取って取得し、
前記第１の対象者から前記第１の対象者の生体情報を取得し、
互いに関連付けられた前記識別情報及び前記生体情報を含む人物情報を前記サーバに送信し、
前記サーバが、
前記情報取得装置から送信された前記人物情報をデータベースに登録し、
前記情報端末が、前記第１の区域とは異なる第２の区域に配置され、
前記第１の区域を通過した前記第１の対象者が所持する媒体から識別情報を読み取って取得し、
取得した前記識別情報に関連付けられた前記生体情報を前記サーバから取得する
ことを特徴とする情報取得方法。
【０２３６】
以上、実施形態を参照して本発明を説明したが、本発明は上記実施形態に限定されものではない。本発明の構成や詳細には、本発明のスコープ内で当業者が理解し得る様々な変更をすることができる。
【０２３７】
この出願は、２０１８年３月２２日に出願された日本出願特願２０１８−０５３９３５を基礎とする優先権を主張し、その開示の全てをここに取り込む。
【符号の説明】
【０２３８】
１、２…情報取得システム
１０…情報取得カート
２０…サーバ
３０…ブース端末
【図１】
2019182069.tif 000003
【図２】
2019182069.tif 000004
【図３】
2019182069.tif 000005
【図４】
2019182069.tif 000006
【図５】
2019182069.tif 000007
【図６】
2019182069.tif 000008
【図７】
2019182069.tif 000009
【図８】
2019182069.tif 000010
【図９】
2019182069.tif 000011
【図１０】
2019182069.tif 000012
【図１１】
2019182069.tif 000013
【図１２】
2019182069.tif 000014
【図１３】
2019182069.tif 000015
【図１４】
2019182069.tif 000016
【図１５】
2019182069.tif 000017
【図１６】
2019182069.tif 000018
【国際調査報告】
2019182069.tif 000019
2019182069.tif 000020
2019182069.tif 000021
2019182069.tif 000022